(57)【特許請求の範囲】
【請求項１】
計算装置によって実施される、風雑音を検出するためにデジタル化マイクロホン信号データを処理する方法であって、
第１のマイクロホンから第１の組の信号サンプルを得るステップと；
第２のマイクロホンから、実質的に前記第１の組と同時期に生じる第２の組の信号サンプルを得るステップと；
前記第１の組の中の、第１の予め定義した比較閾値を上回るサンプルの第１の数を決定し、かつ前記第１の組の中の、前記第１の予め定義した比較閾値を下回るサンプルの第２の数を決定するステップと；
前記第２の組の中の、第２の予め定義した比較閾値を上回るサンプルの第３の数を決定し、かつ前記第２の組の中の、前記第２の予め定義した比較閾値を下回るサンプルの第４の数を決定するステップと；
前記第１の数および第２の数が前記第３の数および第４の数から、予め定義した検出閾値を上回る程度に、異なるかどうかを判断し、かつもしそうであれば、風雑音が存在するという表示を出力するステップと
を含む、方法。
【請求項２】
前記第１の予め定義した比較閾値が前記第２の予め定義した比較閾値と同じである、請求項１に記載の方法。
【請求項３】
前記第１の予め定義した比較閾値がゼロである、請求項１または２に記載の方法。
【請求項４】
前記第２の予め定義した比較閾値がゼロである、請求項１〜３のいずれか一項に記載の方法。
【請求項５】
前記第１の予め定義した比較閾値が、選択した過去の信号サンプルの平均である、請求項１、または２に記載の方法。
【請求項６】
前記第２の予め定義した比較閾値が、選択した過去の信号サンプルの平均である、請求項１、２または５のいずれか一項に記載の方法。
【請求項７】
前記第１の組のうちの正および負のサンプルの数が前記第２の組のうちの正および負のサンプルの数から、予め定義した検出閾値を上回る程度に、異なるかどうかを判断する前記ステップが、カイ二乗検定を適用することによって行われる、請求項１〜６のいずれか一項に記載の方法。
【請求項８】
カイ二乗計算が、前記予め定義した検出閾値を下回る値を与える場合、前記風雑音がないという表示が出力され、および前記カイ二乗計算が、前記検出閾値を上回る値を与える場合、前記風雑音が存在するという表示が出力される、請求項７に記載の方法。
【請求項９】
サンプルブロックサイズ１６、およびマイクロホンの間隔１２ｍｍに関し、前記検出閾値が０．５〜約４の範囲にある、請求項８に記載の方法。
【請求項１０】
前記検出閾値が１〜２．５の範囲にある、請求項９に記載の方法。
【請求項１１】
前記検出閾値が、控えめとみなされる微風によってはトリガされないレベルに設定される、請求項１〜１０のいずれか一項に記載の方法。
【請求項１２】
前記第１の数および第２の数が前記第３の数および第４の数から異なる前記程度を使用して、風の強さを推定する、請求項１〜１１のいずれか一項に記載の方法。
【請求項１３】
前記第１の組のうちの前記サンプルの数が、前記第２の組のうちの前記サンプルの数から、予め定義した検出閾値を上回る程度に、異なるかどうかを判断する前記ステップが、マクネマー検定およびスチュアート−マックスウェル検定の一方によって行われる、請求項１〜６のいずれか一項に記載の方法。
【請求項１４】
さらに、第３のマイクロホンから、それぞれの組の信号サンプルを得ることを含み、
前記カイ二乗検定が、３×２の観測マトリックスおよび予測値マトリックスを使用することによって、前記第１から第３のマイクロホン信号サンプルの組に適用される、請求項７に記載の方法。
【請求項１５】
前記カイ二乗検定が、適切な４×２またはそれよりも大きい観測マトリックスおよび予測値マトリックスを使用することによって、４つ以上のマイクロホン信号サンプルの組に適用される、請求項１４に記載の方法。
【請求項１６】
各マイクロホンからの各サンプルの組内の計数が行われ、各サンプルの組に対して、以下：
前記サンプルのうちいくつが正であるか、
前記サンプルのうちいくつが負であるか、
前記サンプルのうちいくつが第１の閾値を上回るか、および
前記サンプルのうちいくつが第２の閾値を下回るか
のうちの少なくとも１つが数えられる、請求項１〜１５のいずれか一項に記載の方法。
【請求項１７】
さらに、前記第１の数および第２の数が、前記第４の数および第３の数から異なるかどうかを判断し、かつこの差も前記予め定義した検出閾値を上回る場合に、前記風雑音が存在するという表示を出力することを含む、請求項１〜１６のいずれか一項に記載の方法。
【請求項１８】
請求項１〜１７のいずれか一項に記載の方法を実施するように構成された計算装置。
【請求項１９】
人工内耳ＢＴＥユニット、補聴器、電話機のヘッドセットまたはハンドセット、カメラ、ビデオカメラ、またはタブレット型コンピュータのうちの１つである、請求項１８に記載の装置。
【請求項２０】
風雑音を検出するために、コンピュータをデジタル化マイクロホン信号データを処理する手順を実行させるコンピュータプログラムコード手段として機能させるための、コンピュータプログラムであって、請求項１８または１９に記載の装置を、請求項１〜１６のいずれか一項に記載の方法を実施させるコンピュータプログラムコード手段として機能させるための、コンピュータプログラム。
【発明の詳細な説明】
【技術分野】
【０００１】
関連出願の相互参照
本出願は、２０１１年１２月２２日出願のオーストラリア仮特許出願第２０１１９０５３８１号明細書、および２０１２年７月１７日出願のオーストラリア仮特許出願第２０１２９０３０５０号明細書の利益を主張し、これらを本願明細書に援用する。
【０００２】
本発明は、マイクロホンや他のそのようなトランスデューサからの信号のデジタル処理に関し、特に、例えば風雑音の補償を開始または制御できるようにするために、そのような信号における風雑音などの存在を検出するための装置および方法に関する。
【背景技術】
【０００３】
本明細書では、風雑音は、遠距離場の木に風が吹きつけると得られる葉の音などの、他の物体に吹きつける風の音とは対照的に、マイクロホンポートを流れ過ぎる気流中の乱流から生じるマイクロホン信号であると定義する。風雑音は、使用者にとって好ましくない可能性がある、および／または対象となる他の信号をマスクし得る。デジタル信号処理装置は、信号品質に対する風雑音の悪影響を改善する対策を講じるように構成されていることが望ましい。そのようにするために、実際には他の要因が信号に影響を及ぼしているときに風雑音であると誤って検出することなく、風雑音が発生するときにそれを確実に検出するための好適な手段が必要とされている。
【０００４】
風雑音検出（ＷＮＤ）への従来の取り組みでは、遠距離場において風ではない音が生成されるため、風雑音はマイクロホン間では実質的に無相関であるのに、各マイクロホンにおいては同様の音圧レベル（ＳＰＬ）および位相を有すると、仮定している。しかしながら、遠距離場において生成された、風ではない音に関し、マイクロホン間のＳＰＬは、局所的な音響反射、室内反響、および／またはマイクロホンの覆いの違い、障害物、または位置ゆえに、実質的に異なり得る。マイクロホン間のＳＰＬのかなりの違いはまた、マイクロホンの近くで使用されている電話機のハンドセットなどの、近距離場において発生した、風ではない音によって生じることがある。マイクロホン出力信号の違いはまた、マイクロホンの感度の違い、すなわち不整合のマイクロホンゆえに生じることがあり、これは、マイクロホンの所与のモデルに対する製造公差が緩いこと、またはシステムにおいて異なるモデルのマイクロホンを使用していることに起因し得る。
【０００５】
音が、両マイクロホンに同時に到達する方向から届かない限り、マイクロホン間の間隔によって、風ではない音の位相が、各マイクロホンの音導入部において異なるものとなる。指向性のマイクロホンの応用では、マイクロホン配列の軸は、通常、所望の音源の方へ向いており、これは、最悪な時間遅延を生じさせ、それゆえ、マイクロホン間に最大の位相差を与える。
【０００６】
受信した音の波長が、マイクロホン間の間隔をはるかに上回るとき、マイクロホン信号は、かなり良く相関しており、かつ従来のＷＮＤ方法は、低周波数の風を誤って検出しないであろう。しかしながら、受信した音の波長が、マイクロホンの間隔に到達するとき、位相差がマイクロホン信号の相関を弱くしており、かつ風ではない音を風として誤って検出し得る。マイクロホンの間隔が広いほど、風ではない音が風として誤って検出される周波数は低くなる、すなわち、誤検出が発生する可聴音域の部分が広くなる。ハードウェア構成および風速に依存して、補聴器のマイクロホンにおける風雑音が１００Ｈｚ未満〜８０００Ｈｚ超に及び得ることを考えれば、風雑音検出を、可聴音域の全てではないがほとんどにわたって満足のいくように動作させることが望ましいため、風雑音が問題となる副帯域においてのみ、風雑音を検出でき、かつ好適な抑圧手段を作動させるようにする。誤検出はまた、マイクロホン信号間の位相差の他の原因、例えば局所的な音響反射、室内反響、および／またはマイクロホンの位相応答または導入口の長さの違いに起因して発生し得る。
【０００７】
ＷＮＤへの既存の取り組みは、本明細書において相関法、差分法、および差分−和（ｄｉｆｆｅｒｅｎｃｅ−ｓｕｍ）法と称する３つの技術を含む。下記でこれらを簡潔に説明する。
【０００８】
第１に、米国特許第７，３４０，０６８号明細書において提示されている相関法では、２つのマイクロホン信号が低域フィルタリング（ｆｃ＝１ｋＨｚ）されてから、以下の式：
【数１】
0006285367.tif 000002
（式中、ｘ（ｎ）およびｙ（ｎ）は、それぞれ、マイクロホンｘおよびｙの出力のサンプルであり、ゼロ相関ラグではｌ＝０、および単一サンプル相関ではｋ＝０、またはサンプルブロックにわたる相関ではｋ＞０である）
を用いて、相互相関および自己相関が計算される。検出器の出力Ｄは、理論上は、風ではない音では１に到達する必要があり、ここでは、ｘ（ｎ）およびｙ（ｎ）は同様である必要があり、および風雑音では０に向かう傾向を有する必要があり、ここでは、ｘ（ｎ）およびｙ（ｎ）は似ていない必要がある。検出器の出力は、低域平滑フィルターを通過し、および風は、平滑化された出力Ｄ＜０．６７であるとき、および好ましくは平滑化された出力Ｄ＜０．５であるとき、検出される。
【０００９】
第２に、米国特許第６，８８２，７３６号明細書で説明されているＷＮＤの差分法では、２つのマイクロホン信号間の差の絶対値は、式：
Ｄ＝｜ｘ（ｎ）−ｙ（ｎ）｜        （２）
（式中、ｘ（ｎ）およびｙ（ｎ）は、それぞれ、マイクロホンｘおよびｙの出力のサンプルである）
を使用して、計算される。検出器の出力Ｄは、理論上、非風の音源では０に到達する必要があり、ここでは、ｘ（ｎ）およびｙ（ｎ）は高度に相関している必要があり、および風雑音が増大すると、ｘ（ｎ）およびｙ（ｎ）はあまり似ていない必要がある。Ｄの値は、低域平滑フィルターを通過し、かつ平滑値が閾値を上回るときに風が検出される。
【００１０】
第３に、米国特許第７，１７１，００８号明細書において説明されている差分−和法では、２つのマイクロホン信号の差の累乗値と和の累乗値との比を、式：
【数２】
0006285367.tif 000003
（式中、ｘ（ｎ）およびｙ（ｎ）は、それぞれ、１つのサンプルまたはサンプルブロックとし得るある期間にわたる、マイクロホンｘおよびｙの出力のサンプルである）
を使用して計算する。検出器の出力Ｄは、理論上は、遠距離場音源では０に達する必要があり、ここでは、ｘ（ｎ）およびｙ（ｎ）は同様である必要があり、およびＤは、風雑音では１に向かう傾向を有する必要があり、ここでは、ｘ（ｎ）およびｙ（ｎ）は似ていない必要がある。
【００１１】
本明細書に含まれた文献、行為、材料、装置、物品などのいずれの議論も、本発明の背景をもたらすためのものにすぎない。これらの事項のいずれかまたは全てが従来技術の基礎を形成すると、または、本出願の各特許請求事項の優先日以前に存在するとして、本発明が関係する分野の一般知識であったと、自認したとみなされるべきではない。
【００１２】
本明細書を通して、語「含む（ｃｏｍｐｒｉｓｅ）」、または「含む（ｃｏｍｐｒｉｓｅｓまたはｃｏｍｐｒｉｓｉｎｇ）」などの変形は、述べた要素、整数またはステップ、または要素、整数またはステップの群を含むが、任意の他の要素、整数またはステップ、または要素、整数またはステップの群を排除しないことを暗示することを理解されたい。
【発明の概要】
【課題を解決するための手段】
【００１３】
第１の態様によれば、本発明は、風雑音を検出するためにデジタル化マイクロホン信号データを処理する方法であって、
第１のマイクロホンから第１の組の信号サンプルを得るステップと；
第２のマイクロホンから、実質的に第１の組と同時期に生じる第２の組の信号サンプルを得るステップと；
第１の組の中の、第１の予め定義した比較閾値を上回るサンプルの第１の数を決定し、かつ第１の組の中の、第１の予め定義した比較閾値を下回るサンプルの第２の数を決定するステップと；
第２の組の中の、第２の予め定義した比較閾値を上回るサンプルの第３の数を決定し、かつ第２の組の中の、第２の予め定義した比較閾値を下回るサンプルの第４の数を決定するステップと；
第１の数および第２の数が、第３の数および第４の数から、予め定義した検出閾値を上回る程度に、異なるかどうかを判断し、かつもしそうであれば、風雑音が存在するという指示（ｉｎｄｉｃａｔｉｏｎ）を出力するステップと
を含む方法を提供する。
【００１４】
第１および第２の組の信号サンプルは、それぞれのマイクロホンから実質的に直接得られた広帯域の時間領域サンプルを含み得る。あるいは、第１および第２の組の信号サンプルは、例えばマイクロホン信号の低域、高域または帯域通過フィルタリングによって得られ得るような、広帯域のマイクロホン信号の特定のスペクトル帯域を反映する副帯域の時間領域サンプルを含み得る。一部の実施形態では、第１および第２の組の信号サンプルは、例えばマイクロホン信号にフーリエ変換、例えば高速フーリエ変換を実施することによって得られるような、スペクトルの大きさのデータを含み得る。さらに別の実施形態では、第１および第２の組の信号サンプルは、パワーデータ、複合信号データまたは他の形式の信号データを含み、これらデータでは、風雑音がデータ値に検出閾値超の差を生じて、第１および第２の組を発生させる。
【００１５】
多くの実施形態において、第１の予め定義した比較閾値は、第２の予め定義した比較閾値と同じである。一部の実施形態では、第１および第２の予め定義した比較閾値は、それぞれ、ゼロとし得る。他の実施形態では、第１および第２の予め定義した比較閾値は、デジタル量子化レベル間にある、ある１つの値またはそれぞれの値に設定されてもよいため、サンプル値は比較閾値に等しくならない。別の実施形態では、第１および第２の予め定義した比較閾値は、それぞれ、選択した過去および／または現在の信号サンプルの平均値とし得る。さらに別の実施形態では、第１および第２の予め定義した比較閾値は、信号サンプル中のＤＣ成分（連続的なＤＣ成分であろうが断続的なＤＣ成分であろうが）を構成する所与の値とし得る。他の実施形態では、第１および第２の予め定義した比較閾値は、ＦＦＴデータの１つまたは複数のフレームの各ビン（ｂｉｎ）の平均に等しいとし得る。さらに別の実施形態では、第１および第２の予め定義した比較閾値は、得られたデータサンプルの任意の他の好適な値とし得る。本発明の代替的な実施形態では、第１の予め定義した比較閾値は、第２の予め定義した比較閾値から異なり得る。例えば、そのような代替的な実施形態では、第１の予め定義した比較閾値は、ゼロと評価されたサンプルを正の数として計数するように構成し得る一方、第２の予め定義した比較閾値は、ゼロと評価されたサンプルを負の数として計数するように構成し得るか、または適用および／またはインプリメンテーションプラットフォームにより適切および／または有益である場合には、その逆である。
【００１６】
本明細書を通して、「正」のサンプルの数に関しては、対応する予め定義した比較閾値を上回るサンプル、すなわちそれに対して正であるサンプルを指すと理解されたい。対応する意味が、「負」のサンプルの数に関して与えられる。それゆえ、対応する予め定義した比較閾値がゼロに等しいとき、従来の意味の正および負が当てはまる。
【００１７】
第１の組のうちの正および負のサンプルの数が、第２の組のうちの正および負のサンプルの数から、予め定義した検出閾値を上回る程度に、異なるかどうかを判断するステップは、カイ二乗検定を適用することによって実施され得る。そのような実施形態では、カイ二乗計算が、ゼロに近い値、または予め定義した検出閾値を下回る値を与える（ｒｅｔｕｒｎ）場合、風雑音がないという表示が出力され得る一方、カイ二乗計算が、検出閾値以上の値を与える場合、風雑音が存在するという表示が出力され得る。そのような実施形態では、サンプルブロックサイズ１６およびマイクロホンの間隔１２ｍｍに関して、検出閾値は、０．５〜約４の範囲にある、一層好ましくは１〜２．５の範囲にあるとし得る。サンプルブロックサイズ１６およびマイクロホンの間隔１２０ｍｍに関して、検出閾値は、約２〜約１０の範囲にある、一層好ましくは３〜８の範囲にある、または一層好ましくは約５〜７の範囲にあるとし得る。しかしながら、異なるブロックサイズおよび／またはマイクロホンの間隔および／または装置を有する他の実施形態では、適切な検出閾値はかなり異なり得る。検出閾値は、控えめであるとみなされる微風、例えば１または２ｍ．ｓ−１を下回る風によってはトリガされないレベルに設定され得る。さらに、そのような実施形態では、カイ二乗計算の出力、またはより一般的に、第１の数および第２の数が第３の数および第４の数から異なる程度を使用して、そうでなければ静寂である条件における風の強さ、または他の音を上回る風雑音が占める程度を推定し得る。
【００１８】
代替的な実施形態では、第１の組のうちの正および負のサンプルの数が、第２の組のうちの正および負のサンプルの数から、予め定義した検出閾値を上回る程度に、異なるかどうかを判断するステップが、複数の組のバイナリまたは分類データを比較するために、任意の他の好適な統計的検定、例えばマクネマー（ＭｃＮｅｍａｒ）検定またはスチュアート−マックスウェル（Ｓｔｕａｒｔ−Ｍａｘｗｅｌｌ）検定などによって、実施され得る。
【００１９】
第１および第２のマイクロホンは、耳かけ型（ＢＴＥ：ｂｅｈｉｎｄ−ｔｈｅ−ｅａｒ）の装置、人工内耳ＢＴＥユニットのシェル、またはＢＴＥ型、耳穴型、外耳道挿入（ｉｎ−ｔｈｅ−ｃａｎａｌ）型、完全外耳道挿入型、または他のスタイルの補聴器などに装着され得る。あるいは、第１および第２のマイクロホンは、電話機のヘッドセットまたはハンドセット、または他のオーディオ装置、例えばカメラ、ビデオカメラ、タブレット型コンピュータなどの一部とし得る。信号は、例えば、８ｋＨｚ、１６ｋＨｚまたは４８ｋＨｚでサンプリングされ得る。一部の実施形態は、より高いサンプリングレートに対してはより長いブロック長を使用し得るため、単一のブロックが同様の時間フレームを網羅する。あるいは、風雑音検出器への入力はダウンサンプリングされ得るため、風雑音が、より高いサンプリングレートの全帯域幅にわたって検出される必要がない適用では、より短いブロック長を使用できる（必要な場合には）。ブロック長は、１６サンプル、３２サンプル、または他の好適な長さとし得る。
【００２０】
一部の実施形態では、この方法は、さらに、第３のマイクロホンまたは追加的なマイクロホンから、それぞれの組の信号サンプルを得ることを含み得る。そのような実施形態では、３つ以上のマイクロホンから得られたそれぞれのサンプルの組における正および負のサンプルの数の比較がなされ得る。例えば、カイ二乗検定は、適切な３×２、または４×２またはそれよりも大きい観測マトリックスおよび予測値マトリックスを使用することによって、３つ以上のマイクロホン信号サンプルの組に適用され得る。
【００２１】
別の態様によれば、本発明は、第１の態様の方法を実施するように構成された計算装置を提供する。
【００２２】
別の態様によれば、本発明は、風雑音を検出するために、コンピュータに、デジタル化マイクロホン信号データを処理する手順を実行させるコンピュータプログラムコード手段を含むコンピュータプログラム製品であって、第１の態様の方法を実施するコンピュータプログラムコード手段を含むコンピュータプログラム製品を提供する。
【００２３】
本発明の好ましい実施形態では、各マイクロホン信号は、いずれのＤＣ成分も除去するために、例えば前置増幅器またはＡＤＣによって好ましくは高域フィルタリングされ、本方法によって動作されたサンプル値が、一般に、正の数と負の数を混ぜ合わせたものを含むようにする。しかしながら、サンプル値が非ゼロのゼロ入力値を有する代替的な実施形態では、本発明は、比較閾値をゼロ入力値にすることによって、すなわち、（ａ）ゼロ入力値を上回るサンプルの数、および（ｂ）ゼロ入力値を下回るサンプルの数を決定することによって、適用され得る。本発明は、処理中のサンプリングされたデータに好適な任意の選択した比較閾値に委ねることによって、同様に適用され得る。
【００２４】
比較値に対して、大きさではなく各サンプルの符号のみを考慮することによって、本発明の方法は、マイクロホン信号間の大きさの差を効果的に無視するので、これは、そのような差の非風の原因、例えば近距離場の音源、局所的な音響反射、室内反響、およびマイクロホンの覆いの違い、障害物、位置、または感度などに対してロバスト（ｒｏｂｕｓｔ）である。信号間のサンプルごとの相関を計算しかつマイクロホン信号間の位相および振幅の差に感度の高い他の方法とは対照的に、信号当たりの正および負のサンプル数をサンプルブロックにわたって数えるため、マイクロホン信号間の位相差もほとんど無視する。
【００２５】
本発明の一部の実施形態では、各マイクロホンからの各サンプルの組内での単一の計数が実施され得る。例えば、各サンプルの組に関して、以下のうちの１つが数えられ得る：
サンプルのうちいくつが正であるか、
サンプルのうちいくつが負であるか、
サンプルのうちいくつが閾値を上回るか、または
サンプルのうちいくつが閾値を下回るか。
そのような実施形態では、第１の組の信号サンプルの単一の計数が第２の組の信号サンプルの単一の計数から異なる程度を使用して、風雑音が存在するという表示の出力をトリガし得る。例えば、これは、計数を、事前に計算したカイ二乗値のルックアップテーブルのインデックスとして、特定の適用例に公知の定数を利用し得る単純化されたカイ二乗式への入力として、または別の好適な統計的検定への入力、例えば２項検定として使用することによって、なされ得る。
【００２６】
マイクロホン間の位相差に依存して、およそ、サンプルブロックにおいて奇数個の半周期または一周期あたり奇数個のサンプルを生成する周波数にある非風雑音の音の存在は、風雑音がない場合でもかなりの程度で第３および第４の数とは異なる第１および第２の数を生じ得ることに留意されたい。それゆえ、そのようなシナリオは、使用される検出閾値に依存して、風雑音の誤検出を生じ得る。しかしながら、一部の実施形態では、そのような誤検出の危険性は、第１の数および第２の数がそれぞれ第４の数および第３の数から異なるかどうかを判断し、かつ、この差も予め定義した検出閾値を上回る場合にのみ、風雑音が存在するという表示を出力することによって、対処され得る。第３の数の値と第４の数の値を交換することによって、またはサンプルの組の１つにデータまたはサンプルの計数の等価の反転（ｉｎｖｅｒｓｉｏｎ）を行うことによって、そのような実施形態は、そのような問題のある周波数における非風雑音の音に対するロバストネスを改善する。本明細書では、そのような実施形態を、「最小」技術、例えば「最小カイ二乗風雑音検出」技術と呼ぶ。代替的な実施形態は、２回のカイ二乗計算を回避し、選択的に第３の数を第２の組の負のサンプルの数に等しくし、かつ選択的に第４の数を第２の組の正のサンプルの数に等しくしてから、第１の数の値から最も差が小さい第３の数の値（すなわち元の値または代替的な値）を用いて一回のカイ二乗計算を実施することにより、より計算効率良く行われてもよい。これらの差は、第１の数から、第３の数の元の値または代替的な値の各々を引くことによって、計算される。第３の数の元の値または代替的な値は、第１の数および元の第３の数が双方とも各ブロックにおけるサンプル数の半分に等しいときと同程度、第１の数から異なり得るにすぎず、その場合、差はゼロであり、およびカイ二乗値もゼロであることに留意されたい。
【００２７】
以下、添付図面を参照して本発明の例を説明する。
【図面の簡単な説明】
【００２８】
【図１】時間領域で動作する本発明の一実施形態のカイ二乗風雑音検出器を示すシステムの概略図である。
【図２】本発明の別の実施形態による整合時間領域フィルターの出力で動作するカイ二乗ＷＮＤ方法の副帯域インプリメンテーションを示すシステムの概略図である。
【図３】本発明のさらに別の実施形態によるＦＦＴ出力データで動作するカイ二乗ＷＮＤ方法の副帯域インプリメンテーションを示すシステムの概略図である。
【図４】それぞれの事前に記録した入力信号に対して図１の実施形態によって生成されたカイ二乗ＷＮＤスコアを示す。
【図５】事前に記録した入力信号に関して、従来技術の相関法によって生成されたＷＮＤスコアを示す。
【図６】事前に記録した入力信号に対して従来技術のＤｉｆｆ／Ｓｕｍ  ＷＮＤ方法によって生成されたＷＮＤスコアを示す。
【図７】事前に記録した段階的なトーン（音調）スイープ（ｔｏｎｅ  ｓｗｅｅｐ）入力に応答する、図１の実施形態および従来技術のＷＮＤ方法によって生成されたＷＮＤスコアを示す。
【図８】両マイクロホンが同相であるが９．５ｄＢの近距離場効果が存在する場合の、１０Ｈｚから１０Ｈｚ段階で、サンプリングレートの半分まで、シミュレーションしたトーン入力に応答する、図１の実施形態のシミュレーションおよび従来技術のＷＮＤ方法によって生成されたＷＮＤスコアを示す。
【図９】典型的な補聴器に関する、１０Ｈｚから１０Ｈｚ段階で、サンプリングレートの半分まで、シミュレーションした遠距離場トーン入力に応答する、図１の実施形態のシミュレーションおよび従来技術のＷＮＤ方法によって生成されたＷＮＤスコアを示す。
【図１０】１つの信号に対して正および負の計数を逆にしたシミュレーションによって得られたスコアによって改善されたときの、図９のＷＮＤスコアを示す。
【図１１】典型的な補聴器に関する、１０Ｈｚから１０Ｈｚ段階で、サンプリングレートの半分まで９．５ｄＢだけ変動する、シミュレーションした近距離場トーン入力に応答した、図１の実施形態のシミュレーションおよび従来技術のＷＮＤ方法によって生成されたＷＮＤスコアを示す。
【図１２】典型的なＢｌｕｅｔｏｏｔｈ（登録商標）ヘッドセットに関する、１０Ｈｚから１０Ｈｚ段階で、サンプリングレートの半分まで、シミュレーションした遠距離場トーン入力に応答した、図１の実施形態のシミュレーションおよび従来技術のＷＮＤ方法によって生成されたＷＮＤスコアを示す。
【図１３】典型的なＢｌｕｅｔｏｏｔｈ（登録商標）ヘッドセットに関する、１０Ｈｚから１０Ｈｚ段階で、サンプリングレートの半分まで９．５ｄＢだけ変動する、シミュレーションした近距離場トーン入力に応答した、図１の実施形態のシミュレーションおよび従来技術のＷＮＤ方法によって生成されたＷＮＤスコアを示す。
【図１４】ブロック当たり１６サンプルの典型的なスマートフォンのハンドセットに関する、１０Ｈｚから１０Ｈｚ段階で、サンプリングレートの半分まで、シミュレーションした遠距離場トーン入力に応答した、図１の実施形態のシミュレーションおよび従来技術のＷＮＤ方法によって生成されたＷＮＤスコアを示す。
【図１５】ブロック当たり１６サンプルの典型的なスマートフォンのハンドセットに関する、１０Ｈｚから１０Ｈｚ段階で、サンプリングレートの半分まで９．５ｄＢだけ変動する、シミュレーションした近距離場トーン入力に応答した、図１の実施形態のシミュレーションおよび従来技術のＷＮＤ方法によって生成されたＷＮＤスコアを示す。
【図１６】ブロック当たり３２サンプルの典型的なスマートフォンのハンドセットに関する、１０Ｈｚから１０Ｈｚ段階で、サンプリングレートの半分までシミュレーションした遠距離場トーン入力に応答する、図１の実施形態のシミュレーションおよび従来技術のＷＮＤ方法によって生成されたＷＮＤスコアを示す。
【図１７】ブロック当たり３２サンプルの典型的なスマートフォンのハンドセットに関する、１０Ｈｚから１０Ｈｚ段階で、サンプリングレートの半分まで９．５ｄＢだけ変動する、シミュレーションした近距離場トーン入力に応答する、図１の実施形態のシミュレーションおよび従来技術のＷＮＤ方法によって生成されたＷＮＤスコアを示す。
【図１８ａ】波形がハンドセットのマイクロホンから記録される、図１９〜２２のＨＡＴＳ実験において使用されたハンドセットの男性および女性音声の刺激の例を示す。
【図１８ｂ】波形がハンドセットのマイクロホンから記録される、図１９〜２２のＨＡＴＳ実験において使用されたハンドセットの男性および女性音声の刺激の例を示す。
【図１９ａ】ブロックサイズが１６サンプルのＨＡＴＳからのＢｌｕｅｔｏｏｔｈ（登録商標）のヘッドセットの記録のそれぞれのＷＮＤ方法の出力を示す。
【図１９ｂ】ブロックサイズが１６サンプルのＨＡＴＳからのＢｌｕｅｔｏｏｔｈ（登録商標）のヘッドセットの記録のそれぞれのＷＮＤ方法の出力を示す。
【図１９ｃ】ブロックサイズが１６サンプルのＨＡＴＳからのＢｌｕｅｔｏｏｔｈ（登録商標）のヘッドセットの記録のそれぞれのＷＮＤ方法の出力を示す。
【図１９ｄ】ブロックサイズが１６サンプルのＨＡＴＳからのＢｌｕｅｔｏｏｔｈ（登録商標）のヘッドセットの記録のそれぞれのＷＮＤ方法の出力を示す。
【図１９ｅ】ブロックサイズが１６サンプルのＨＡＴＳからのＢｌｕｅｔｏｏｔｈ（登録商標）のヘッドセットの記録のそれぞれのＷＮＤ方法の出力を示す。
【図２０ａ】最小カイ二乗方法を適用するときの図１９の記録に関するカイ二乗方法の出力を示す。
【図２０ｂ】最小カイ二乗方法を適用するときの図１９の記録に関するカイ二乗方法の出力を示す。
【図２０ｃ】最小カイ二乗方法を適用するときの図１９の記録に関するカイ二乗方法の出力を示す。
【図２１ａ】ブロックサイズが１６サンプルのＨＡＴＳからのスマートフォンの記録に関する、それぞれのＷＮＤ方法の出力を示す。
【図２１ｂ】ブロックサイズが１６サンプルのＨＡＴＳからのスマートフォンの記録に関する、それぞれのＷＮＤ方法の出力を示す。
【図２１ｃ】ブロックサイズが１６サンプルのＨＡＴＳからのスマートフォンの記録に関する、それぞれのＷＮＤ方法の出力を示す。
【図２１ｄ】ブロックサイズが１６サンプルのＨＡＴＳからのスマートフォンの記録に関する、それぞれのＷＮＤ方法の出力を示す。
【図２１ｅ】ブロックサイズが１６サンプルのＨＡＴＳからのスマートフォンの記録に関する、それぞれのＷＮＤ方法の出力を示す。
【図２２ａ】ブロックサイズが３２サンプルのＨＡＴＳからのスマートフォンの記録に関する、それぞれのＷＮＤ方法の出力を示す。
【図２２ｂ】ブロックサイズが３２サンプルのＨＡＴＳからのスマートフォンの記録に関する、それぞれのＷＮＤ方法の出力を示す。
【図２２ｃ】ブロックサイズが３２サンプルのＨＡＴＳからのスマートフォンの記録に関する、それぞれのＷＮＤ方法の出力を示す。
【図２２ｄ】ブロックサイズが３２サンプルのＨＡＴＳからのスマートフォンの記録に関する、それぞれのＷＮＤ方法の出力を示す。
【図２２ｅ】ブロックサイズが３２サンプルのＨＡＴＳからのスマートフォンの記録に関する、それぞれのＷＮＤ方法の出力を示す。
【図２３ａ】１０００Ｈｚおよび５０００Ｈｚの時間領域の副帯域フィルターによって処理された、事前に記録した入力信号に関するカイ二乗方法の出力を示す。
【図２３ｂ】１０００Ｈｚおよび５０００Ｈｚの時間領域の副帯域フィルターによって処理された、事前に記録した入力信号に関するカイ二乗方法の出力を示す。
【図２３ｃ】１０００Ｈｚおよび５０００Ｈｚの時間領域の副帯域フィルターによって処理された、事前に記録した入力信号に関するカイ二乗方法の出力を示す。
【図２４ａ】２５０、７５０、１０００、４０００および７０００ＨｚのＦＦＴビンによって処理された、事前に記録した入力信号に関するカイ二乗方法の出力を示す。
【図２４ｂ】２５０、７５０、１０００、４０００および７０００ＨｚのＦＦＴビンによって処理された、事前に記録した入力信号に関するカイ二乗方法の出力を示す。
【図２４ｃ】２５０、７５０、１０００、４０００および７０００ＨｚのＦＦＴビンによって処理された、事前に記録した入力信号に関するカイ二乗方法の出力を示す。
【図２４ｄ】２５０、７５０、１０００、４０００および７０００ＨｚのＦＦＴビンによって処理された、事前に記録した入力信号に関するカイ二乗方法の出力を示す。
【図２４ｅ】２５０、７５０、１０００、４０００および７０００ＨｚのＦＦＴビンによって処理された、事前に記録した入力信号に関するカイ二乗方法の出力を示す。
【図２４ｆ】１０００、４０００および７０００ＨｚＦＦＴビンによって処理された、事前に記録した入力の段階的なトーンスイープ信号に関する、カイ二乗方法の出力を示す。
【発明を実施するための形態】
【００２９】
略語：
ＡＤＣ：アナログデジタル変換器
ＢＴＥ：耳かけ型
ＣＩ：人工内耳
ＤＣ：直流
ＦＩＲ：有限インパルス応答
ＨＡ：補聴器
ＨＡＴＳ：ヘッドアンドトルソシミュレータ
ＩＩＲ：無限インパルス応答
ＳＮＲ：信号対雑音比
ＳＰＬ：音圧レベル
ＷＮＤ：風雑音検出
【００３０】
カイ二乗（χ２）ＷＮＤ方法と称する本実施形態のＷＮＤ方法は、統計的検定を応用して、２つ以上の音声信号間の独立レベルを確立する。この実施形態のカイ二乗方法は、３つのステップを含む：１）各マイクロホン信号の複数のサンプルのブロックからの観測データマトリックスの構成；２）予測データマトリックスの構成；および３）観測および予測データマトリックスからのカイ二乗統計量の計算。これらのステップを、２つのマイクロホンの場合について図１に示す。単純にするために、図１のカイ二乗ＷＮＤ方法は２つのマイクロホンの場合について説明するが、代替的な実施形態では、この方法は、３つ以上のマイクロホン信号に適用できることに留意されたい。
【００３１】
入力データは、以下：
Ｘ＝［ｘ１  ｘ２  ・・・  ｘｍ］
Ｙ＝［ｙ１  ｙ２  ・・・  ｙｍ］    （４）
（式中、ＸおよびＹは、それぞれ前方および後方マイクロホンのサンプルのブロックであり、長さｍのサンプルである）
のような各マイクロホン信号の、複数のサンプルのブロックである。ブロックベースの処理のためのサンプルのバッファリングは、ＤＳＰシステムではよくみられるため、好都合なことには、カイ二乗ＷＮＤ方法は、任意の追加的なバッファリング動作を必要としない可能性があり、かつ広範囲のバッファ長で作用し得る。前置増幅器またはＡＤＣは、一般に、マイクロホン信号を高域フィルタリングしていずれのＤＣ成分も除去するため、サンプル値は、一般に、正の数と負の数とが混ざり合ったものであり、音響レベルが低下するにつれ、ゼロに向かう傾向がある。
【００３２】
観測データマトリックスＯは、以下の式のように構成され、かつ以下のように各マイクロホン信号のサンプルブロック内に正の値および負の値の数を含む：
【数３】
0006285367.tif 000004
（式中、ＰＯＳは、正のサンプルの数（値≧０）に応じる（ｒｅｔｕｒｎ）関数であり、およびＮＥＧは、負のサンプルの数（値＜０）に応じる関数である）
実際に、２つの相補的なＤＳＰシステムでは、ゼロの値は、正の符号ビットを有するため、最も容易に正の値に分類され得る。ゼロの値は、その定義が所与のインプリメンテーションで一貫しているという条件で、カイ二乗ＷＮＤ方法を目的として、正の値または負の値のいずれかであると定義できる。式（５）から分かるように、観測マトリックスＯの各行は異なるマイクロホンに対応し、一方、列１および２は、それぞれ、正および負のサンプルの数を示す。
【００３３】
予測データマトリックスＥは、観測データマトリックスＯのデータから、以下の式：
【数４】
0006285367.tif 000005
（式中、ｒおよびｃは、それぞれ、観測データマトリックスＯの行および列の数であり、およびＮは、観測データマトリックスＯの全要素の和である）
の通り計算される。それゆえ、Ｎは、マイクロホンの数にブロック長を乗じたものに等しい定数である。
【００３４】
観測および予測マトリックスを使用して、カイ二乗統計量χ２を、以下の式：
【数５】
0006285367.tif 000006
（式中、χ２は、観測および予測データマトリックスの要素の間の差の二乗を正規化したものの和である）
の通り計算する。χ２の値は、風ではない音を用いて近似される正のサンプル対負のサンプルの比が両マイクロホンで同じであるときに、ゼロである。χ２の値は、正のサンプル対負のサンプルの比がマイクロホンで異なるときにゼロ超に増加し、これは、風雑音の結果、マイクロホン信号が似なくなるにつれて、発生する。
【００３５】
大きさではなく、各サンプルの符号のみを考慮することによって、本実施形態のカイ二乗方法は、マイクロホン信号間の大きさの差を事実上無視するため、そのような差の、近距離場音源、局所的な音響反射、室内反響、およびマイクロホンの覆いの違い、障害物、位置、または感度（不整合のマイクロホン）などの非風の原因に対してロバストである。
【００３６】
この実施形態のカイ二乗方法はまた、サンプルごとにマイクロホン信号を比較しようと試みるものではないため、位相差に対しても大部分はロバストである。風ではない音の場合、ロバストネスは、波長と、位相シフトの大きさと、適用例で使用されたブロック長との関係に依存する。従来の方法と対照的に、位相差に対するロバストネスは、高周波数において、ブロック長とマイクロホンの間隔との間の関係に依存して、増大し得る。例えば、ブロック長が、定常正弦波信号の波長の整数倍である場合、正および負のサンプルの数は、整数個のサンプルのどの位相シフトでも同じである。波長がブロック長を上回るとき、位相差の効果はブロックごとに異なり、かつゼロ交差辺りで効果が最大となり、かつゼロ交差間では効果がゼロとなり得る。それゆえ、そのような効果を補償するために、平滑フィルターを使用して、風スコアの出力におけるブロックごとの変化を一様にし得る。
【００３７】
位相差に対するロバストネスの実例として、補聴器での適用例では、２０ｍｍまでの典型的なマイクロホンの間隔は、マイクロホン間に５９μ秒までの遅延を生じ（音速が３４０ｍ／秒であると仮定する）、これは、典型的なサンプリングレート１６ｋＨｚで、０．９４サンプルまでの位相差につながる。そのような位相差は、典型的なブロック長１６〜６４サンプルで、χ２統計量への効果が最小である。
【００３８】
以下の例は、この実施形態のカイ二乗ＷＮＤ方法が実際のどのように働くかについてのさらなる理解をもたらすために提供される。例は、風雑音を経験し、かつブロック長が１６サンプルの２つのマイクロホンについてである。以下に、各マイクロホンに対するサンプルのブロックを示す。
【数６】
0006285367.tif 000007
【００３９】
上記の式（５）のように、各ブロック内の正および負のサンプルの数を計数し、観測データマトリックスＯを構成するために使用する：
【数７】
0006285367.tif 000008
（式中、正および負のサンプルの数を、各マイクロホンに対し１つの行を備え、それぞれ第１および第２の列に示す）
定義により、各行の和は、ブロック長に等しい（この場合１６）。上記の式（６）のように、予測マトリックスＥは観測データマトリックスＯから計算される。
【数８】
0006285367.tif 000009
【００４０】
予測マトリックスＥは、観測データマトリックスＯと同じ構造を有し、かつ、上記式（７）のように、両マトリックスを使用してカイ二乗統計量χ２を計算する。
【数９】
0006285367.tif 000010
【００４１】
カイ二乗統計量χ２の値は実質的にゼロを上回り、風雑音が存在することを示す。
【００４２】
本発明の好ましい実施形態では、公知の定数に基づいて、いくつかの計算ステップを単純化する。例えば、予測マトリックスＥは、観測データマトリックスＯの行の和と列の和との積の計算を必要とする。観測データマトリックスＯの行の和は常にブロック長Ｂに等しく、およびＮは、常に、ブロック長を乗じたマイクロホンＭの数に等しいため、予測マトリックスＥの計算は、以下の式：
【数１０】
0006285367.tif 000011
の通り単純に計算され得る。
【００４３】
従来のカイ二乗の例は、予測マトリックスＥの行が互いに同一であり、それにより、予測マトリックスＥのｊ列の各々に対し１つの値を計算するための計算条件を少なくすることを示す。
【００４４】
χ２値の計算はまた単純にでき、および予測マトリックスＥの計算は、以下の式
【数１１】
0006285367.tif 000012
の通り、この計算に組み込むことができる。
【００４５】
それゆえ、観測データマトリックスＯの各要素に関し、各要素とその列平均との差の二乗が、その列平均によって割られている。所与の列では、差の二乗は、両行に対して同じであり、これは、さらに、χ２統計量を計算するために必要な計算負荷を小さくする。上記は、適用に対して計算負荷を最適にし得る方法の一例にすぎず、および他の実施形態においてさらなる最適化を達成し得る。一部の適用では、各マイクロホン信号の正または負のサンプルカウント値で表示できる、事前に計算したχ２値のルックアップテーブルを使用することが望ましいとし得る。さらに別の実施形態では、式１３は、２つのマイクロホンの場合には以下の式の通りさらに単純にできる。
【数１２】
0006285367.tif 000013
【００４６】
別の実施形態では、本発明の方法は、副帯域ベースで実施される。上述のカイ二乗ＷＮＤ方法を使用して、帯域通過、低域、または高域フィルターとし得る時間領域デジタルフィルターのバッファリングされた出力を処理する。図２は、時間領域フィルターバンクを備える副帯域ＷＮＤの例を示す。各副帯域内で、この方法の動作は、図１の実施形態において上述した通りであるため、ここでは繰り返さない。最も好適な比較および／または検出閾値は、異なる副帯域においておよび異なる適用に対して異ってもよく、これは、マイクロホンのポジショニング、間隔、および／または位相整合、および／または風雑音および異なる周波数の他の音の特徴などの要因によるもとのし得ることに留意されたい。
【００４７】
図３に示すさらに他の実施形態では、カイ二乗ＷＮＤ方法は、高速フーリエ変換（ＦＦＴ：Ｆａｓｔ  Ｆｏｕｒｉｅｒ  Ｔｒａｎｓｆｏｒｍ）データで動作する。この実施形態では、ＦＦＴは、各マイクロホン信号のサンプルのブロックで実行され、その後、ＦＦＴ出力データは、各ＦＦＴビン（ｂｉｎ）の複数のブロックにわたってバッファリングされる。バッファリングされたＦＦＴ出力データは、複合ＦＦＴ出力の大きさ、パワー、または実および／または虚数成分とし得る。大きさまたはパワーのデータは、一部の適用例ではｄＢ単位とし得る。ブロック中の正および負のサンプルの数を計数する代わりに、ＦＦＴ出力データバッファにおけるブロックにわたって、正および負のＦＦＴ出力値の数を計数する。この点において、ＦＦＴ出力は、マイクロホン信号の周波数領域サンプルとして扱われる。生のＦＦＴの大きさまたはパワーの値は負であり得ないため、これら値を結果的に正の値または負の値を生じ得るように処理される必要がある。例えば、ＦＦＴ出力バッファのデータは：１）各バッファのデータがゼロ平均値を有するように調整されたＦＦＴの大きさまたはパワーのデータ；または２）連続するＦＦＴ間の差分値を示すＦＦＴの大きさまたはパワーの差分データとなるように、処理できた。上記の１）の代替として、各ＦＦＴビンおよびマイクロホンの比較閾値は、過去または現在のバッファリングされたＦＦＴの大きさまたはパワーのデータの平均（または他の好適な値）に適応的に設定され得る。生のＦＦＴデータの実または虚数成分は、さらに処理することなく正の値および負の値を有し得るが、上述の処理オプション１）および２）の適用例は、これらの構成成分がマイクロホン信号間の振幅および位相差に対してより感度が高いため、有益とし得る。これらの例示的な代替例は、経時的な音響レベルの変化を示すデータを生じる（１つのブロックの分解能）。それゆえ、データは、マイクロホンの感度、近距離場効果、またはマイクロホン信号間のレベルの差に起因する任意の他の定数（すなわち実際にゆっくりと時間的に変化する）の違いによる、マイクロホン間のレベルの差を示さない。
【００４８】
時間領域サンプルと比較すると、ＦＦＴデータは、サンプルにブロックにわたる平均的な大きさまたはパワーを表すため、マイクロホン信号間の位相差に対して比較的感度が低い。位相は、波長がブロック長（すなわち分析窓）を著しく上回るときに、ＦＦＴのパワー推定値に最も大きな影響を有し、および波長がブロック長よりもはるかに小さいときに、その影響は最小である。観測データマトリックスＯを構成するために使用されたＦＦＴデータのこれらの有益な特性は、マイクロホン信号間の大きさおよび位相差に対するカイ二乗ＷＮＤ方法の固有のロバストネスの追加である。風ではない音に関し、経時的なＦＦＴビンレベルの短期間の変動は、マイクロホン間で同様に生じ、これは、約ゼロのカイ二乗値を生じる（すなわち風が検出されない）。風雑音に関し、短期間のレベルの変動はマイクロホン間で異なり、これは、カイ二乗統計量に、より大きな値を生じる（すなわち風が検出される）。ＦＦＴビンは、より広い帯域幅を形成するようにグループ化されてもよく、その後、各帯域に対し計算された大きさまたはパワーの値を使用してその帯域の風雑音を検出する。
【００４９】
図１の実施形態の有効性を示すために、その実施形態の方法について、いくつもの代表的な記録を検定するためにそれを使用することによって、評価を行った。記録は、ある範囲の入力刺激によって、耳かけ型（ＢＴＥ）の装置から得られたマイクロホン出力信号であった。刺激は、遠距離場の拡声器、近距離場の電話機のハンドセット、またはウィンドマシンから生成された。装置は、市販の人工内耳（ＣＩ）および補聴器（ＨＡ）製品のＢＴＥ型シェルであり、各々、約１０〜１５ｍｍ離間する２つのマイクロホンを含んでいた。マイクロホンは、完全に整合されてはいなかったが、不整合は、これらのタイプのマイクロホン（１〜３ｄＢ）では常である。装置は、近距離場を除いた全ての記録用の音響ブースに配置されたヘッドアンドトルソシミュレータ（ＨＡＴＳ）の耳介（外耳）に装着された。近距離場の記録は、静寂なオフィスの自由空間にあるＢＴＥ装置において電話機のハンドセットを保持することによって、得られた。マイクロホン信号は、高ＳＮＲの３２ビットのサウンドカードによって、サンプリングレート約１６ｋＨｚで記録された。表１は、刺激、装置、設備および記録条件を要約している。
【００５０】
【表１】
0006285367.tif 000014
【００５１】
記録は、遠距離場の段階的なトーンスイープ（ｔｏｎｅ  ｓｗｅｅｐ）を除いて、持続期間が各約１０秒であった。遠距離場の段階的なトーンスイープは、トーンごとに持続期間が４秒で、１．０〜７．６６４ｋＨｚの３１の純音からなった（１．０７１８の乗法（ｍｕｌｔｉｐｌｉｃａｔｉｖｅ）ステップで）。段階的なトーンスイープはまた、１０ｄＢまでのマイクロホン信号間に、局所的な耳介の反射および／または室内反射による意図的でないレベルの差を含み、かつ図７に示すデータにある程度滑らかでない状態をもたらした。近距離場の１ｋＨｚのトーンは、マイクロホン信号間に１２．２ｄＢレベルの差をもたらした。音声は、７０ｄＢＡ（耳で測定した）で表された。風速は、風雑音レベルの１２−ｄＢステップに理論的に等しいため、２つの要因で増した。１２ｍ／秒の記録は、両マイクロホンの電気クリッピングレベルにおいてマイクロホン出力が明白に飽和された例として選択された。なぜなら、この極値が、ＷＮＤアルゴリズムの潜在的な失敗のモードとなり得るためである。
【００５２】
図１の実施形態のＷＮＤアルゴリズムは、Ｍａｔｌａｂ／Ｓｉｍｕｌｉｎｋにインプリメンテーションされ、かつ各マイクロホン記録の１６のサンプルの、重なりのない連続的なブロックを処理するために使用された。ＷＮＤアルゴリズムの出力は、ＩＩＲフィルター（ｂ＝［０．００４］；ａ＝［１−０．９９６］、他のフィルタータイプおよび係数を使用し得ることに留意されたい）によって処理されて、１つのブロックから別のブロックに存在し得る、ＷＮＤアルゴリズム出力におけるいずれのジッターのような変化も取り除き、それゆえ、一定の入力刺激に、より一貫性のある出力を与える。図４は、このシステムにおける事前に記録した各入力信号に対するカイ二乗ＷＮＤ方法の出力を示す。
【００５３】
図４では、風刺激ＷＮＤスコア（４１０にグループ分けされた）と非風刺激ＷＮＤスコア４２０との間が明確に分離されていることが分かる。グループ４２０では、本発明のこの実施形態の方法によって生成されたＷＮＤ出力は、音声および近距離場刺激に対しては０．５未満であり、かつ相関関係のないマイクロホン雑音に対しては１．５未満である。平滑フィルターを確定させた後、グループ４１０では、風雑音のＷＮＤ出力スコアが、非常に微風（１．５ｍ／秒）では一貫して２．５〜３．０を上回り、かつ風速が増すにつれて５または６まで大きくなることが分かる。それゆえ、好適な検出閾値（これを上回るとＷＮＤスコアは風雑音が存在することを示すとみなされる）は、１．５ｍ／秒以上の風が検出される必要がある適用では２．５とし得るか、または、３ｍ／秒以上の風が検出される必要がある適用では３．５とし得る。風速１．５ｍ／秒は、一般に、ほとんど風雑音の原因とならず、および聞こえない可能性があるため、多くの適用例では、そのような微風を検出も抑制もしないことが望ましいとし得る。ＷＮＤスコアの絶対値、それゆえ、適切な１つまたは複数の閾値は、異なるサンプルブロックサイズで変化することに留意されたい。風ではない音と混合された風雑音のＷＮＤスコアは、４１０および４２０にグループ分けされたものの間にあるとしてもよく、これは、検出閾値が、風雑音と適用の他の音との最も適切な比に対応するように設定され得、これは、他の音を上回る風雑音の知覚、または風雑音抑圧手段に続く処理の必要性などの要因に基づき得るという点で好都合であることも留意されたい。さらに、閾値はまた、異なる平滑フィルターのために改善できる。なぜなら、より厳しい平滑化はより一貫性のあるＷＮＤ出力スコアを生じ、これは、風条件の変化に応答するフィルターの、よりゆっくりとした反応時間を犠牲にしても、検出閾値を大きくすることができるためである。マイクロホン雑音ではカイ二乗方法の出力は低い（ゼロに近い）ため、他のいくつかの方法のように、入力レベル閾値は、必ずしもＷＮＤには必要ではないことも留意されたい。それにもかかわらず、代替的な実施形態は、入力レベル閾値と相俟って、比較的低いカイ二乗閾値を使用して低速の風を確実に検出でき、ＳＰＬ（これを上回る風を検出することが望ましい）を設定した。そのような実施形態では、入力レベル閾値を使用することによって、風雑音の音の大きさにより密接に関連した検出を可能にする。なぜなら、所与の風速での風雑音レベルは、風の入射角（示されるデータの全ては前からの風である）、装置の機械設計、マイクロホンの位置、風防の機能を果たし得るマイクロホン（例えば外耳）付近の障害物の位置、または風雑音発生源などの要因による影響を受けるためである。そのような実施形態では、風を検出するためには、カイ二乗閾値および入力レベル閾値の双方を上回る必要がある。
【００５４】
本発明のこの実施形態の性能と比較するために、上記で説明した従来技術の相関法および差分−和法のＷＮＤアルゴリズムを、Ｍａｔｌａｂ／Ｓｉｍｕｌｉｎｋにインプリメンテーションし、かつ同様に使用して、上記の表１に示す各マイクロホン記録の１６サンプルの、重なりのない連続的なブロックを処理した。各ＷＮＤアルゴリズムの出力は、ＩＩＲフィルター（ｂ＝［０．００４］；ａ＝［１−０．９９６］）によって再度処理された。
【００５５】
図５は、上記で説明した米国特許第７，３４０，０６８号明細書の従来技術の相関ＷＮＤ方法の結果を示す。音声の出力は、予測通り１．０に近く、および風雑音は、一般的により低い（５２０で示すように約０．５）。しかしながら、マイクロホンを飽和させる１２ｍ／秒の風は、音声に関して同様の出力を生じさせる傾向があり、これが、強風を検出できない相関ＷＮＤ方法をもたらし得る。さらに、相関関係のないマイクロホン雑音の出力および５３０で示す近距離場トーンの出力は、風の範囲の値にあるため、間違って風に分類され得たが、マイクロホン雑音は、入力レベル閾値の追加的なステップを適用することによって、風雑音と区別され得た。
【００５６】
図６は、上記で説明した米国特許第７，１７１，００８号明細書の従来技術のＤｉｆｆ／Ｓｕｍ（差分／和）  ＷＮＤ方法の出力を示す。Ｄｉｆｆ／Ｓｕｍ  ＷＮＤ出力は、音声に関し、予測通り約ゼロであり、および出力は、風速とともに増大する。しかしながら、６１０で示す領域では、近距離場トーンおよび１．５ｍ／秒の風は区別できず、また、相関関係のないマイクロホン雑音は３．０ｍ／秒の風と区別できない。後者の２つの入力は、入力レベル閾値の追加的なステップを適用することによって、互いに区別できそうであった。
【００５７】
図７は、図１の実施形態のＷＮＤ方法と従来技術の相関および差分／和ＷＮＤ方法とを比較し、かつ段階的なトーンスイープ入力に関してマイクロホン出力信号に応答してＭａｔｌａｂ／ＳｉｍｕｌｉｎｋにインプリメンテーションされたＷＮＤ方法の出力を示す。カイ二乗方法は、トーンに対してロバストであり、出力値は、検定される全帯域にわたって１．０未満であり、かつ主に０．２５未満である。これらの値は、図４に示す１．５ｍ／秒の弱風の出力の通り、２．５〜４．０の範囲をはるかに下回るため、図１のＷＮＤ方法を、そのようなトーン入力と風雑音とを区別できるようにする。
【００５８】
対照的に、図７は、相関ＷＮＤ方法が、一般的に、その非風の出力（値が約１）から、周波数の増大につれて風出力（値が０．６７または０．５未満）へと逸れていき、これにより、そのようなトーンに応答して風雑音の誤検出を生じることを示す。同様に、差分／和ＷＮＤ方法は、一般的に、その非風の出力（値が約０）から、周波数の増大につれて風出力（値は１に向かう）へと逸れていき、これにより、また、そのようなトーンに応答して風雑音の誤検出を生じる。
【００５９】
本発明の前述した実施形態は、カイ二乗検出器にいくつかの閾値を提案するが、適切な閾値の設定には、ある程度の柔軟性および変動性があることに留意されたい。これは、カイ二乗ＷＮＤの出力が、ブロックサイズが大きくなるにつれて高まり、かつマイクロホンの間隔および位置決めによる影響を受けること、および閾値が、適用例に望まれる場合には、所望の風速、または風雑音と他の音とのレベルの比で、ＷＮＤをトリガさせるために、かなり任意に設定され得ることのためである。
【００６０】
図７の全帯域にわたる本発明の有効性は、図２または図３のような副帯域風雑音検出器に特に好都合であり、ナイキスト速度（一般に８〜１２ｋＨｚまで）の補聴器の帯域幅における全周波数において他の入力から風雑音を区別することにおいて、好ましくは適切に機能する必要がある。
【００６１】
音声信号は、一般に、マイクロホン出力信号であるが、任意の他の音源を使用し得た。典型的な適用は、補聴器、人工内耳、ヘッドセット、ハンドセット、ビデオカメラ、または風雑音を検出する必要がある任意の他の医療機器や消費者機器である。そのような他のハードウェアデバイスにおける図１の実施形態の性能を評価するために、純音を風と誤って検出する上述のＷＮＤ方法の感度が調査された。各方法がＭＡＴＬＡＢ刺激にインプリメンテーションされ、かつ２つのマイクロホンの正弦波入力刺激がＭＡＴＬＡＢにおいて生成された。後方マイクロホン信号の位相は、特定のマイクロホンの間隔に従って前方マイクロホンに対して遅延された（音速は３４０ｍ／秒であると仮定する）。表２に示すように、リアルタイムのＤＳＰオーディオ製品の典型例をモデルにした。
【００６２】
【表２】
0006285367.tif 000015
【００６３】
ＷＮＤ出力は、１０Ｈｚから１０Ｈｚ段階で、サンプリングレートの半分まで周波数に対し計算された。各周波数に関し、各ＷＮＤ方法の平均的な出力を、１００の連続的なサンプルのブロックにわたって計算した。平均値を図８〜図１７に示す。平均は、一般にＷＮＤ方法の出力におけるブロックごとの変動を取り除くためにインプリメンテーションされる低域フィルターを近似させる。
【００６４】
さらに、上述の分析を、マイクロホン間のレベル差９．５ｄＢ（後方マイクロホン信号が低い）に対し繰り返した。音源からの距離から、音響パワーにおいて１／ｒ２の関係であると仮定すると、この音源は、一方のマイクロホンからの方が他方のマイクロホンからよりも３倍離れた近距離場音源に近似していた。
【００６５】
０ｍｍのマイクロホンの間隔（すなわち両マイクロホンが同相である）の理想的な場合には、ＷＮＤ方法は、いずれの周波数でもトーンを風と誤って検出せず、従来技術の差分−和法、差分法、および相関法の出力は、それぞれ０、０、および１に等しく（風雑音がないことを正しく示す）、かつ現在のカイ二乗ＷＮＤ方法の出力はゼロに等しい（風雑音がないことを正しく示す）。
【００６６】
しかしながら、０ｍｍのマイクロホンの間隔（すなわち両マイクロホンが同相である）であるが、上述した９．５ｄＢの近距離場効果が存在する場合には、カイ二乗ＷＮＤ方法の出力は、マイクロホン間のレベル差による影響を全く受けない一方で、他の方法は、図８に示すようにこのシミュレーションにおいて著しく影響を受けるため、風雑音という間違った表示を生じ得る。この場合の差分法の出力は、＞４であったため、図８では分からない。
【００６７】
図９は、典型的な補聴器のシミュレーションしたＷＮＤ出力値を示す（表２のように）。従来のＷＮＤ方法は、高周波数においてトーンを風と誤って検出することが分かる。図１の実施形態のカイ二乗方法は、よりロバストであるが、約５．４ｋＨｚのその出力は比較的高いものの、必ずしも、公称風検出閾値（一部の実施形態では、図４に示すように、約３．５程度の高さに選択され得る）を上回るわけではない。５．４ｋＨｚにおけるカイ二乗ＷＮＤスコアの振る舞いは、約３サンプルの期間を有するトーン、および約０．５６サンプルの位相シフトを引き起こすマイクロホンの間隔によるものである。その結果、前方マイクロホンのサンプルの約３分の２が正となる一方、後方マイクロホンのサンプルの約３分の２が負となり、これは、約５．４ｋＨｚのカイ二乗ＷＮＤ方法の比較的高い出力を説明する。約５．４ｋＨｚまたはそれよりもずっと前に、３つ全ての従来技術の方法もまた著しい低下を被っていることに留意されたい。
【００６８】
図９から分かる現在のカイ二乗方法における５．４ｋＨｚにおける人工物は、前方または後方マイクロホン信号を反転してＷＮＤ処理を繰り返すことによって相殺でき、これにより、マイクロホン信号間の位相関係を変化させ、その後、２つのＷＮＤ出力大きさの値の低い値をＷＮＤ出力として受け取って、平滑フィルターを通過させることにさらに留意されたい。この手法は、４つ全ての方法のシミュレーションに適用され、図１０のグラフを生成した。このグラフでは、従来のＷＮＤ方法の比較的劣ったロバストネスにおいてほとんど変化がない一方で、高周波数トーンに対するカイ二乗ＷＮＤ方法のロバストネスが著しく増大したことが分かる。それゆえ、この手法は、本発明の一部の実施形態では、追加的な計算負荷が正当化される適用例において、有益とし得る。計算負荷は、１つのマイクロホン信号に関する正および負のサンプルカウント値を、反転された信号で再び計数する代わりに、これら正および負のサンプルカウント値を交換し、かつスコアが小さくなる場合（すなわちマイクロホン間のサンプル計数がより同じようになる場合）に２回目のχ２計算のみを行うことによって、さらに削減し得る。計算負荷は、第２の比較閾値に対する負および正のサンプルの数に対応する代替的な第３および第４の数を計算し、かつ第１の数から最小差の、第３の数（すなわち元のまたは代替的な）のバージョンに関して単一のχ２計算を行うことによって、前述のようにさらに削減し得る。
【００６９】
図１１は、表２に設定されたような補聴器によって適用されたとき、および９．５ｄＢの削減が後方マイクロホン信号レベルに適用されるときの、３つの従来技術のＷＮＤ方法、および本発明のＷＮＤ方法のシミュレーションした出力スコアを示す。カイ二乗ＷＮＤ出力は、マイクロホン信号間のレベル差による影響を受けないが、他の方法は、明らかに悪影響を受ける。ここでも、カイ二乗ＷＮＤスコアにおける約５．４ｋＨｚの人工物は、検出閾値を下回り得ること（それゆえ、誤検出をトリガしない）、および／または図１０を参照して既に説明したような対応する方法で、反転された信号を使用してスコア計算を繰り返すことによって対処され得ることに留意されたい。
【００７０】
表２のような典型的なＢｌｕｅｔｏｏｔｈ（登録商標）ヘッドセットのシミュレーションした例に関する、従来技術のＷＮＤ方法および図１の実施形態のＷＮＤ方法のロバストネスを、図１２に示す。ここでも、図１の実施形態のカイ二乗方法は、Ｂｌｕｅｔｏｏｔｈ（登録商標）ヘッドセットのより低いサンプリングレートに起因して半分にした周波数目盛以外は、トーン入力に対して同様にロバストである。ここでも、３つのサンプル期間を有する純音刺激によるマイクロホン間の半サンプル遅延に起因するカイ二乗ＷＮＤスコアにおける約２．７ｋＨｚの人工物は、検出閾値を下回り得る（それゆえ、誤検出をトリガしない）、および／または図１０を参照して既に説明したような対応する方法で、反転された信号を使用してスコア計算を繰り返すことによって対処され得ることに留意されたい。
【００７１】
入力信号間に９．５ｄＢのレベル差を備える、表２のような典型的なＢｌｕｅｔｏｏｔｈ（登録商標）ヘッドセットのシミュレーションした例に関する、従来技術のＷＮＤ方法、および図１の実施形態のＷＮＤ方法のロバストネスを、図１３に示す。ここでも、図１の実施形態のカイ二乗方法は、トーン入力に対してロバストである。ここでも、カイ二乗ＷＮＤスコアにおける約２．７ｋＨｚの人工物は、検出閾値を下回り得ること（それゆえ、誤検出をトリガしない）、および／または図１０を参照して既に説明したような対応する方法で、反転された信号を使用してスコア計算を繰り返すことによって対処され得ることに留意されたい。
【００７２】
それゆえ、図１３のＢｌｕｅｔｏｏｔｈ（登録商標）ヘッドセットの例では、カイ二乗ＷＮＤ方法は、マイクロホン間のレベル差の影響を受けない一方、他の方法は、明らかに悪影響を受け、かつ純音入力によって風を誤って検出し得る。
【００７３】
表２のようにブロック当たり１６サンプルを備える典型的なスマートフォンのハンドセットのシミュレーションした例に関する、従来技術のＷＮＤ方法、および図１の実施形態のＷＮＤ方法のロバストネスを、図１４に示す。１５０ｍｍの比較的大きなマイクロホンの間隔は、一般的に、従来のＷＮＤ方法がトーンに対してロバストである周波数範囲を実質的に小さくすることにより、性能を悪化させる。２ｋＨｚを下回るカイ二乗ＷＮＤスコアのピークは、ブロック長（すなわち２５０Ｈｚ、７５０Ｈｚ、１２５０Ｈｚなど）において約Ｎ＋０．５期間（Ｎ＝０、１、２など）である周波数にある。これは、ブロックが正弦波期間の最初の半分全体を含む場合（すなわち全てのサンプルが正である）、位相シフトが正のサンプル対負のサンプルの比に対して最大の効果を有するからである。正のサンプル対負のサンプルの比に対する位相シフトの効果は、ブロック長における周期の数が増えるにつれて、小さくなる傾向がある。マイクロホンの間隔１５０ｍｍおよびサンプリングレート８ｋＨｚでは、２つのスマートフォンのハンドセットマイクロホン間の位相遅延は３．５サンプルまでである（音の方向に依存する）。これは、典型的な補聴器およびＢｌｕｅｔｏｏｔｈ（登録商標）ヘッドセットでの適用例の１つのサンプル未満の遅延に匹敵する。なお、この遅延は、２ｋＨｚ未満の正のサンプル対負のサンプルの比に対してより小さな影響を有した。位相遅延の影響は、より長いブロックサイズを使用することによって、異なる適用例では低減され得るか、または調整され得る。なぜなら、これによって、マイクロホン間の遅延を、ブロック中のサンプルの割合をより少なくするためである。さらに、カイ二乗ＷＮＤスコアのサブ−２ｋＨｚピークのほとんどは、約２．０の値にのみ到達し、これは、上述の通り、検出閾値未満とし得るため、そのようなピークは、カイ二乗ＷＮＤ検出器における風雑音の誤検出をトリガしない可能性がある。さらに、カイ二乗ＷＮＤ検出器のピークは、図１０を参照して上記で説明したような対応する方法で、反転された信号を使用するスコア計算を繰り返すことによって小さくされ得る。
【００７４】
表２のようにブロック当たり１６サンプルを備え、かつ信号間が９．５ｄＢレベル差である典型的なスマートフォンのハンドセットのシミュレーションした例に関する、従来技術のＷＮＤ方法、および図１の実施形態のＷＮＤ方法のロバストネスを、図１５に示す。前例に関しては、カイ二乗ＷＮＤ方法は、マイクロホン間のレベル差の影響を受けないが、他の方法は、明らかに影響を受ける。
【００７５】
表２のようにブロック当たり３２サンプルを備える典型的なスマートフォンのハンドセットのシミュレーションした例に関する、従来技術のＷＮＤ方法、および図１の実施形態のＷＮＤ方法のロバストネスを、図１６に示す。ブロックサイズを１６から３２サンプルに大きくすることは、カイ二乗ＷＮＤに対して以下の影響を有する：
１．より多くのサンプルの数が数えられているため、それに従って風検出閾値を調整する必要があるため、出力が増大する。
２．出力の計算頻度が低く、これは、カイ二乗ＷＮＤ方法の初期の計数ステップ中の、より多数のサンプルの処理を補償する以上のものである。
３．サンプルでは、図１４と比較して図１６のカイ二乗ＷＮＤスコアにおけるピーク高さを約１ｋＨｚ未満に低くしていることからも明らかなように、マイクロホン間の位相遅延は、ブロック長のよりわずかな割合に対応しているため、純音に関するカイ二乗ＷＮＤ方法の出力に対する影響がより小さい。
【００７６】
１６サンプルのブロックサイズと比較すると、カイ二乗ＷＮＤ出力の低周波数ピークは、実質的に低くされる。その理由は、マイクロホン間の３．５サンプル遅延は、３２サンプルブロック内でのサンプル数の割合としてよりわずかであるためである。約２．７ｋＨｚのピークは、ブロック長、従ってカイ二乗ＷＮＤ方法の入力におけるサンプル計数が大きくなることに起因して数字上の出力が大きくなるゆえに、より大きい。しかしながら上記の項目（１）のように、ＷＮＤ検出閾値も上るため、２．７ｋＨｚにおけるピークは、依然として、風雑音の検出を誤ってトリガしないとし得る。さらに、カイ二乗ＷＮＤ検出器のピークは、図１０を参照して上記で説明したような対応する方法で、反転された信号を使用するスコア計算を繰り返すことによって、小さくされ得る。
【００７７】
表２のようにブロック当たり３２サンプルを備え、かつ入力信号間に９．５ｄＢのレベル差がある、典型的なスマートフォンのハンドセットのシミュレーションした例に関する、従来技術のＷＮＤ方法、および図１の実施形態のＷＮＤ方法のロバストネスを、図１７に示す。ここでも、前例に関しては、カイ二乗ＷＮＤ方法は、マイクロホン間のレベル差の影響を受けないが、他の方法は明らかに影響を受ける。図１６の場合に関しては、２．７ｋＨｚにおけるピークは、場合によっては、風雑音の検出を誤ってトリガしないとし得、およびカイ二乗ＷＮＤ検出器のピークは、図１０を参照して上記で説明したような対応する方法で、反転された信号を使用するスコア計算を繰り返すことによって、任意選択的に小さくされ得る。
【００７８】
図１４〜１７に関して、スマートフォンに対する１５０ｍｍのマイクロホンの間隔は、おそらく、最悪の事態のシナリオであること、および図１の方法の性能を付随して改善して、著しく小さなマイクロホンの間隔がそのような装置に存在し得ることに留意されたい。さらに、１５０ｍｍのマイクロホンの間隔に関するこれらの結果はまた、同様のマイクロホンの間隔を有する可能性のあるビデオカメラなどの他の装置にも当てはまり得ることに留意されたい。
【００７９】
それゆえ、サンプリングされた入力データをサンプルブロック全体にわたる各音声チャンネルに対する正および負の符号値の和へと単純化することは、いくつもの利点をもたらす。符号値を使用することによって、近距離場の音や不整合のマイクロホンなどの風以外の理由で信号に発生し得る大きさの差に対して、ロバストネスを提供する。サンプルごとの相関とは反対に時間のブロックにわたって符号値を照合することは、マイクロホンの間隔または位相応答から生じる典型的な位相差に対するロバストネスを改善する。サンプルデータをゼロまたは他の好適な閾値に関してバイナリ値に単純化することによって、カイ二乗検定、または他の手法を使用できるようにする。
【００８０】
代替的な実施形態では、カイ二乗計算は、事前に計算したカイ二乗値のルックアップテーブルによる影響を受けてもよく、これにより、例えば計算効率が良くなるか、またはブロック当たりのマイクロホン当たりの全サンプル数などといった定数を利用するカイ二乗方程式を単純にする。サンプルの２つのブロックの比較は、例えば信号をプレフィルタリングすることによって、可聴周波数範囲のサブセットにおいて実施され得る。ＷＮＤスコアは、好ましくは、好適なＦＩＲ、ＩＩＲまたは他のフィルターによって平滑化されて、定常状態の入力音に関して、カイ二乗ＷＮＤスコアにおけるフレームごとの変動を小さくする。
【００８１】
電話機のハンドセットおよびヘッドセットに適用されたときの本発明のＷＮＤ方法の有効性を、さらに調査した。図１８〜２２は、音響ブースのヘッドアンドトルソシミュレータ（ＨＡＴＳ）に配置されたヘッドセットおよびハンドセット（各装置は典型的な使用位置にある）に送られた音刺激を使用して、本発明のカイ二乗ＷＮＤ方法の出力を、前述した相関、および差分−和の風雑音検出（ＷＮＤ）法のそれぞれの出力と比較する。
【００８２】
図１８〜２２に反映される実験は、以下のハードウェア／処理ケースを評価した：
ブロックサイズ＝１６または３２サンプルの電話機のハンドセット（１２０ｍｍのマイクロホンの間隔）；
ブロックサイズ＝１６サンプルのＢｌｕｅｔｏｏｔｈ（登録商標）ヘッドセット（２１ｍｍのマイクロホンの間隔）。
【００８３】
より詳細には、図１９および図２０の結果を得るために、Ｂｌｕｅｔｏｏｔｈ（登録商標）ヘッドセットを修正したため、そのマイクロホン信号は、耳（すなわちマイクロホン導入口から離れた）付近の装置から出るワイヤを介してアクセス可能であった。２つのマイクロホンは、Ｂｌｕｅｔｏｏｔｈ（登録商標）ヘッドセットの典型的な位置にあり、かつ２１ｍｍ離間していた（典型的な間隔）。図２１および図２２の結果を得るために、ワイヤがマイクロホンの近くに行かないようにワイヤが出ており、それゆえ、マイクロホンに到達する風雑音を生成しない状態に、ダミーのスマートフォンのハンドセットを同様に修正した。２つのマイクロホンは、ハンドセットの上部（耳付近）端部および底部（口付近）端部にあり、かつこれによって、マイクロホンの間隔を１２０ｍｍにし、これは、このタイプの装置のマイクロホン信号間のレベルおよび位相差に関して典型的な最悪の事態の間隔であるとみなされた。
【００８４】
各ヘッドセットおよびハンドセットの実験に関し、装置は、各装置が典型的な使用位置にある状態で、音響ブースにあるヘッドアンドトルソシミュレータ（ＨＡＴＳ）に配置された。各装置に関し、両マイクロホン信号が高品質サウンドカードによって同時に記録された一方、様々な音入力刺激を示した（下記の表３に示すように）。記録は、サンプリングレート８ｋＨｚで、ＷＡＶファイルとして記憶された。ＨＡＴＳは、全記録に関して音源の刺激に対面し（すなわち、ＨＡＴＳの前に直接示された刺激）、これは、マイクロホン間の刺激の位相差に関し最悪の事態の向きである。
【００８５】
【表３】
0006285367.tif 000016
【００８６】
表３の最後の２つの行で述べたトーンスイープでは、それぞれ、時間が経つにつれて対数的に大きくなる、円滑に変化するトーンの周波数を有した。表３の行４〜９で述べた音声は、約３秒の刺激で開始された、１．３秒の無言（すなわちマイクロホン雑音が占める静寂）によって分離された、話された２つの文章からなり、かつ音声は、典型的な遠距離場および近距離場の音響レベルで示された。音声刺激の始めおよび最後にも、短期間の静寂があった。風速は、風雑音レベルが音声レベルに到達したおよび／またはそれを超えた関連範囲を網羅するように選択された。風刺激はウィンドマシンから生成された。
【００８７】
表１に示した補聴器および人工内耳装置の評価に関して、本発明および従来技術のＷＮＤアルゴリズムは、Ｍａｔｌａｂ／Ｓｉｍｕｌｉｎｋにインプリメンテーションされ、かつ表３の刺激から得られた、各マイクロホン記録のサンプルの重なりのない連続的なブロックを処理するために使用された。ヘッドセットおよびハンドセットの適用に関し、処理は、これらの装置では典型的なように、サンプリングレート８ｋＨｚで実行された。各ＷＮＤアルゴリズムの出力は、ここでも、ＩＩＲフィルター（ｂ＝［０．００４］；ａ＝［１−０．９９６］）によって処理され、ブロックごとに存在し得る、ＷＮＤアルゴリズム出力におけるいずれの雑音のような変化も取り除いたため、一定の入力刺激に対し、より一貫性のある出力を与えた。
【００８８】
ハンドセットの男性および女性の音声記録の例を、音声間隙をより明白に示すために、図１８ａおよび図１８ｂに示す。
【００８９】
図１９ａ〜１９ｅは、ブロックサイズ１６サンプルのＢｌｕｅｔｏｏｔｈ（登録商標）ヘッドセット記録に関して適用されたＷＮＤ方法の出力を示す。初期応答は、平滑ＩＩＲフィルターの初期化ゆえに、全ての場合において０から開始する。図１９ａに見られるように、本発明のカイ二乗ＷＮＤ方法は、風雑音を音声から明らかに分離する。約３〜４秒間の音声の文章間の無言の最中、相関関係のないマイクロホン雑音は、カイ二乗ＷＮＤ方法によって戻される風のような値を生じる。しかしながら、マイクロホン雑音はレベル（振幅）において風雑音よりも遥かに低いため、単純なレベル閾値を使用して、マイクロホンと風雑音とを区別できた。
【００９０】
図１９ｂは、従来技術の相関ＷＮＤ方法が、音声および風雑音に同様の値を与えることができ、それゆえ、音声を風雑音として誤って検出することを明らかにする。図１９ｃは、従来技術のＤｉｆｆ／Ｓｕｍ  ＷＮＤ方法は、音声に約０、および風雑音およびマイクロホン雑音に１以上の値を与えることを示す。図１９ｄは、遠距離場トーンスイープに応答する出力値を示す。遠距離場トーンのためのカイ二乗ＷＮＤ方法の出力は、全周波数において１．５未満であり、これは、音声の値と同様であり、かつ風雑音の値よりも明らかに低い。それゆえ、遠距離場トーンは、本発明のカイ二乗方法によって風雑音から明らかに分離される。対照的に、遠距離場トーンの相関ＷＮＤ方法の出力は、一部の周波数では約１（風がない）、および他の周波数では約０（風雑音）とし得る。それゆえ、遠距離場トーンは、相関ＷＮＤ方法によって風雑音と誤って検出され得る。遠距離場トーンのＤｉｆｆ／Ｓｕｍ  ＷＮＤ方法の出力は、一部の周波数では約０（風がない）、および他の周波数では１超（風雑音）とし得る。それゆえ、遠距離場トーンは、Ｄｉｆｆ／Ｓｕｍ  ＷＮＤ方法により風雑音と誤って検出され得る。図１９ｅは、近距離場（口）のトーンスイープに応える出力値を示す。遠距離場トーンのカイ二乗ＷＮＤ方法の出力は、全周波数において２．０未満であり、これは、音声の値と同様であり、かつ風雑音の値よりも明らかに低い。それゆえ、近距離場トーンは、本発明のカイ二乗方法によって風雑音から明らかに分離される。対照的に、近距離場トーンの相関ＷＮＤ方法の出力は、一部の周波数では約１（風がない）、および他の周波数では約０（風雑音）とし得る。それゆえ、近距離場トーンは、相関ＷＮＤ方法により風雑音と誤って検出され得る。近距離場トーンのＤｉｆｆ／Ｓｕｍ  ＷＮＤ方法の出力は、一部の周波数では約０（風がない）、および他の周波数では１超（風雑音）とし得る。それゆえ、近距離場トーンは、Ｄｉｆｆ／Ｓｕｍ  ＷＮＤ方法により風雑音と誤って検出され得る。
【００９１】
図２０ａ〜２０ｃは、カイ二乗計算が、図１０を参照して説明したように反転された２つのマイクロホン信号の一方によって繰り返されるときの結果を示す。２つのカイ二乗値のうちの低い値は出力であり、かつ平滑フィルターを通過する。トーンスイープのシミュレーションでは、これは、本発明のカイ二乗ＷＮＤ方法をトーンに対してよりロバストにした。図１９ａ、図１９ｄおよび図１９ｅは、実際のトーンスイープ記録ではこれを必要としないかもしれないことを示すが、図２０ａ〜２０ｃは、風およびマイクロホン雑音に関してカイ二乗ＷＮＤ出力を分離する方がよいことを示し、これは、入力レベル閾値をこれら２つのタイプの雑音間で識別する必要性を減らすのに有用とし得る。実際のトーンスイープ記録は、反響、マイクロホン雑音、および純粋／理想的な正弦波刺激のシミュレーションではなかった他の効果を含み、これは、シミュレーションでの結果と実際のマイクロホン信号での結果との間の違いを説明し得る。
【００９２】
図２０ａは、各ブロックの２つのカイ二乗値の最小値を取ることによって、期間３〜４秒の間のマイクロホン雑音の出力が、音声の出力値とより同様となり、かつ風雑音の値とは明らかに分離されることを示す。それゆえ、このシナリオでは、レベル閾値は、最小アプローチが適用される場合、相関関係のないマイクロホン雑音を風雑音から分離するために必要ではない。
【００９３】
上述の通りおよび図１９ｄに示すように、遠距離場トーンスイープに応えるカイ二乗ＷＮＤ値の出力は十分に低く、２つのカイ二乗値のうちの最小値を取ることなく、トーンを風から識別した。それにもかかわらず、図２０ｂは、最小値を取ることによって、遠距離場トーンのカイ二乗ＷＮＤ値を低下（改善）し得ることを示す。
【００９４】
上述の通りおよび図１９ｅに示すように、近距離場（口）トーンに応えるカイ二乗ＷＮＤ値の出力は十分に低く、２つのカイ二乗値のうちの最小値を取ることなく、近距離場トーンを風から識別した。それにもかかわらず、図２０ｃは、最小値を取ることによって、近距離場（口）トーンのカイ二乗ＷＮＤ値も低下（改善）され得ることを示す。
【００９５】
図２１ａ〜２１ｅは、ブロックサイズが１６サンプルのスマートフォンの異なるＷＮＤ方法の出力を示す。以前の通り、初期応答は、平滑ＩＩＲフィルターの初期化ゆえに、全ての場合において０から開始する。図２１ａは、本発明のカイ二乗ＷＮＤ方法が、約３〜４秒の音声間隙の最中に風雑音を音声およびマイクロホン雑音から明らかに分離するため、風雑音をマイクロホン雑音から区別するのを支援するためにレベル閾値が必要ないことを示す。ヘッドセットと比較して、ハンドセットによるより大きな平均的なカイ二乗値は、おそらく、マイクロホンの間隔がより大きいことに起因し、これは、局所的に生成された風雑音をマイクロホン間であまり似なくする。
【００９６】
図２１ｂは、相関ＷＮＤ方法は風雑音を非風刺激から辛うじて分離するにすぎないことを示す。図２１ｃは、Ｄｉｆｆ／Ｓｕｍ  ＷＮＤ方法が風雑音を音声から分離したが、約３〜４秒の音声間隙においては風雑音をマイクロホン雑音からは分離しなかったことを示す。図２１ｄは、本発明のカイ二乗ＷＮＤ方法が、他の非風刺激の値と同様の遠距離場トーンの出力値を与え、かつこれらが、風雑音に典型的な値（図２１ａに示すように約９〜１２の値）をはるかに下回ることを示す。それゆえ、遠距離場トーンは、本発明のカイ二乗ＷＮＤ方法によって風雑音から明らかに分離される。対照的に、遠距離場トーンの相関ＷＮＤ方法の出力は、一部の周波数では風雑音の値と同じとし得る。それゆえ、遠距離場トーンは、相関ＷＮＤ方法によって風雑音と誤って検出され得る。遠距離場トーンのＤｉｆｆ／Ｓｕｍ  ＷＮＤ方法の出力は、一部の周波数では風雑音の値と同じとし得る。それゆえ、遠距離場トーンは、Ｄｉｆｆ／Ｓｕｍ  ＷＮＤ方法によって風雑音と誤って検出され得る。
【００９７】
図２１ｅは、近距離場（口で生成された）トーンのカイ二乗ＷＮＤ方法の出力が、他の非風刺激の値と同様の出力であり、かつ風雑音に典型的な値をはるかに下回ることを示す。それゆえ、近距離場（口で生成された）トーンは、風雑音から明らかに分離される。近距離場の（口で生成された）トーンの相関ＷＮＤ方法の出力は、一部の周波数では風雑音の値と同じ値とし得る。それゆえ、近距離場（口で生成された）トーンは、相関ＷＮＤ方法によって風雑音と誤って検出され得る。近距離場（口で生成された）トーンのＤｉｆｆ／Ｓｕｍ  ＷＮＤ方法の出力は、一部の周波数では風雑音の値と同じ値とし得る。それゆえ、近距離場（口で生成された）トーンは、Ｄｉｆｆ／Ｓｕｍ  ＷＮＤ方法によって風雑音と誤って検出され得る。
【００９８】
１６サンプルのブロックサイズを使用するスマートフォンのハンドセットと比較すると（図２１ａ〜ｅに示すような）、３２サンプルのブロックサイズは、風雑音を遠距離場および近距離場トーンから区別するときに、本発明のカイ二乗ＷＮＤ方法をさらによりロバストにする。これを図２２ａ〜ｅに示す。図２２ａでは、カイ二乗ＷＮＤ方法は、風雑音入力を提示された他の刺激から明らかに区別する。図２２ｂおよび図２２ｃは、相関ＷＮＤ方法およびＤｉｆｆ／Ｓｕｍ  ＷＮＤ方法も、より大きなブロックサイズにより改善されるが、他の刺激からの風雑音の識別は、本発明のカイ二乗ＷＮＤ方法ではあまり決定的でないことを示す。
【００９９】
図２２ｄは、遠距離場トーンのカイ二乗ＷＮＤ出力は、ブロックサイズが３２サンプルの風雑音の値をはるかに下回る一方、相関ＷＮＤ方法およびＤｉｆｆ／Ｓｕｍ  ＷＮＤ方法は、一部の周波数では遠距離場トーンと風雑音とを正しく区別できないことを示す。図２２ｅは、近距離場トーン（口からの）のカイ二乗ＷＮＤ出力は、ブロックサイズが３２サンプルの風雑音の値をはるかに下回る一方、相関ＷＮＤ方法およびＤｉｆｆ／Ｓｕｍ  ＷＮＤ方法は、一部の周波数では近距離場トーンと風雑音とを正しく区別できないことを示す。
【０１００】
図２３ａ〜ｃは、図２に示すカイ二乗ＷＮＤの副帯域の時間領域のインプリメンテーションによって得られた風雑音検出器の結果を示す。この副帯域の時間領域のインプリメンテーションの性能は、前述の表１に示す刺激に応答して評価された。二次フィルター、四次フィルター、ＩＩＲフィルター、１オクターブフィルター、帯域通過フィルターを、Ｍａｔｌａｂ／Ｓｉｍｕｌｉｎｋに組み込み、かつ事前に記録したマイクロホン信号を副帯域へフィルタリングし、その後、副帯域マイクロホン信号をカイ二乗ＷＮＤによって処理した。これらの例示的なＩＩＲフィルターは、典型的なＤＳＰ処理装置におけるそれらのインプリメンテーションの容易さおよび効率ゆえに選択されたが、異なる遮断周波数を備える異なる数次およびタイプのフィルターを、この適用例および他の適用例に適切であるとして、使用してもよい。全帯域のインプリメンテーションに関しては、ＷＮＤアルゴリズムの出力は、ＩＩＲフィルター（ｂ＝［０．００４］；ａ＝［１−０．９９６］、他のフィルターのタイプおよび係数を使用し得ることに留意されたい）によって処理され、ブロックごとに存在し得る、ＷＮＤアルゴリズム出力中のいずれのジッターのような変化も取り除いたため、一定の入力刺激に、より一貫性のある出力を与えた。
【０１０１】
図２３ａは、１ｋＨｚを中心とする１オクターブの帯域通過二次ＩＩＲフィルターによって処理された風、音声、マイクロホン雑音（静寂）、および１ｋＨｚの近距離場トーン刺激の平滑化されたカイ二乗ＷＮＤ出力を示す。近距離場トーンは、この帯域通過フィルターの中心周波数にある。風雑音の平滑化されたＷＮＤ出力（まとめて、２３２０）と音声刺激の平滑化された出力（まとめて、２３３０）との間には明確な分離がある。マイクロホン雑音の出力２３１０は、風の出力と音声の出力との間にある。音声刺激のピークは、マイクロホン雑音が占める音素間の間隙に起因する。上記の通り、ＳＰＬ閾値の使用は、風雑音とマイクロホン雑音とをより明白に区別する必要性があった場合に使用でき、かつこれがまた、音声刺激の音素間のピークの高さを低くする。この副帯域の中心周波数における近距離場トーンの平滑化されたＷＮＤ出力２３４０は、音声よりも低く、かつほとんどゼロであり、それにより、風がないことを正しく示す。
【０１０２】
図２３ｂは、５ｋＨｚを中心とする１オクターブの帯域通過二次ＩＩＲフィルターによって処理された風、音声、マイクロホン雑音、および１ｋＨｚの近距離場トーンの刺激の平滑化されたカイ二乗ＷＮＤ出力を示す。かなりの量の風雑音がそのような高周波数で存在することがあり、および先に示した通り、他のＷＮＤ方法は、風雑音とそのような高周波数の他の音とを信頼性高く識別しない可能性がある。音声、マイクロホン雑音（静寂）、および１ｋＨｚの近距離場トーン（まとめて、２４１０）の平滑化されたカイ二乗ＷＮＤ出力は、０．５をはるかに下回る。３〜１２ｍ／秒の風からの平滑化されたＷＮＤ出力（まとめて、２４２０）は、全て、約１．０を上回る。この場合に評価された５ｋＨｚの帯域に関して、１．５ｍ／秒における風の平滑化されたＷＮＤ出力２４３０は０．５〜１．０にあり、これは、風雑音が、この風速ではより低い周波数に集中しているためである。それゆえ、カイ二乗ＷＮＤは、低速の風に対し、その出力が正しく低減され、これにより、約５ｋＨｚの風雑音がほとんどなくなり、かつ５ｋＨｚ帯域にある１．５ｍ／秒の風を検出しないために約１．０のカイ二乗閾値を使用できた。より急な低周波数ロールオフを有する、より高次の帯域通過フィルターは、より低い周波数の風雑音をあまり検出せず、かつ１．５ｍ／秒の風に、さらに低い平滑化されたＷＮＤ出力を生じる。
【０１０３】
図２３ｃは、図２３ａおよび図２３ｂの結果を生成するために使用されたのと同じ、１ｋＨｚおよび５ｋＨｚを中心とする１オクターブの帯域通過の二次ＩＩＲフィルターによって処理された、段階的なトーンスイープの平滑化されたカイ二乗ＷＮＤ出力を示す。どちらの場合も、平滑化されたカイ二乗ＷＮＤ出力は１．０を下回り、かつ図７に見られるカイ二乗ＷＮＤの全帯域インプリメンテーションの平滑化されたＷＮＤ出力とよく似ており、これは、カイ二乗ＷＮＤのこれらの例示的な副帯域インプリメンテーションのロバストネスを裏付ける。
【０１０４】
図２４ａ〜ｅは、カイ二乗ＷＮＤによって処理される前に、周波数領域においてＦＦＴによって処理された刺激のデータを示す。図３に示すカイ二乗ＷＮＤのＦＦＴインプリメンテーションは、図１に示す全帯域の時間領域バージョンと同じ事前に記録したマイクロホン信号および方法によって評価された。これらの刺激は、上記の表１にリストする。
【０１０５】
周波数領域におけるカイ二乗ＷＮＤの動作は、１６ｋＨｚのレートでサンプリングされた、事前に記録したマイクロホン信号を用いて、Ｍａｔｌａｂ／Ｓｉｍｕｌｉｎｋにおいて評価された。各マイクロホンに関し、６４サンプルの重なり合うブロックは、６４点のハニング窓および６４点の高速フーリエ変換（ＦＦＴ）によって処理された。ＦＦＴは、３２サンプルごと、または２ミリ秒ごと（すなわちＦＦＴフレーム間で５０％の重なり）に計算され、かつ各ビンに対する複合ＦＦＴデータを大きさの値に変換し、および大きさの値は、ｄＢ単位に変換された。このＦＦＴ処理はＤＳＰ補聴器適用において例示的とし得るが、これは、サンプリングレート、窓、ＦＦＴサイズ、および生の複合ＦＦＴ出力データの、他の値または単位への処理の他の組み合わせを排除するものではない。
【０１０６】
各対のＦＦＴを計算後（すなわち２つのマイクロホンの各々に対して１回）、ｄＢ値は、最も近い１６の値のバッファ（図３に示すようにマイクロホンとＦＦＴビンの各組み合わせに対して１つのバッファ）に記憶された。その後、各ＦＦＴビンに対し、対応する第１および第２のマイクロホンのバッファにおける値の平均を計算し、かつそれぞれ第１および第２の比較閾値として使用した。しかしながら、バッファのｄＢ値がその対応する入力レベル閾値を下回る場合、両マイクロホンの比較閾値を設定し、それらが対応するバッファにおけるｄＢ値を全て上回るようにした。これは、カイ二乗値０を生じた。入力レベル閾値を、各ＦＦＴビンに対し、最大マイクロホン雑音レベルを上回る５ｄＢに設定し、およびこれは、カイ二乗ＷＮＤのこのＦＦＴインプリメンテーションによってマイクロホン雑音が風雑音として間違って検出されないようにするために必要であった。より高い入力レベル閾値を使用して、聞き取れないまたは使用者にとって控えめな風を確実に検出しないようにし得る。
【０１０７】
次いで、バッファのデータを、対応する比較閾値と比較して、比較閾値に対して正の値および負の値の数を計数した。対応する比較閾値の０．５ｄＢ以内の値は、その比較閾値と等しいとして処理されたため、正の値として数えられた。これは、カイ二乗ＷＮＤのこのＦＦＴインプリメンテーションが上手に一定の純音入力を取り扱う方法を改善し、これにより、マイクロホンにわたって同じとは限らないパターンで、０．１ｄＢ未満などの非常に小さな程度で比較閾値のいずれかの側に切り替え、かつトーンを風雑音とする間違った検出をもたらした。次いで、正および負の値の計数を上記の通り処理してカイ二乗ＷＮＤ出力を計算し、これは、既に説明したＩＩＲ平滑フィルター（ｂ＝［０．００４］；ａ＝［１−０．９９６］）によって処理された。
【０１０８】
図２４ａは、２５０ＨｚＦＦＴビンに対する風、音声、マイクロホン雑音（静寂）、および１ｋＨｚの近距離場トーンの刺激の平滑化されたカイ二乗ＷＮＤ出力を示す。近距離場トーンおよびマイクロホン雑音の出力はゼロであり、および音声の値と風雑音の値との間には明確な分離があり、２５０Ｈｚにおける風雑音の正しい検出を示す。好適な風検出閾値は、約０．１〜０．２にあり得る。概して、風雑音および音声の平滑化されたカイ二乗出力値は、カイ二乗ＷＮＤの時間領域のインプリメンテーションよりも低い。
【０１０９】
図２４ｂは、７５０ＨｚのＦＦＴビンの平滑化されたカイ二乗ＷＮＤ出力を示す。平滑化されたカイ二乗ＷＮＤ出力は、明らかに、音声では０．１未満であり、およびマイクロホン雑音ではゼロ、および１ｋＨｚの近距離場トーンではゼロ付近である。１．５ｍ／秒の風の平滑値は最も低く、かつ約０．１〜０．２で変動する一方、３ｍ／秒の風の平滑値はわずかに高く、および約０．２変動する。これは、１．５ｍ／秒の風雑音のレベルが、７５０ＨｚのＦＦＴビンのマイクロホン雑音を上回る約１２ｄＢにすぎず、かつ聞こえないかもしれず、および任意選択的には検出される必要がないため、正しい振る舞いである。２５０ＨｚのＦＦＴビンと比較しておよび風雑音の一貫性に依存して依然として０．２超を保つ傾向のある平滑化されたカイ二乗値がより少なく低減された状態で、３ｍ／秒の風雑音のレベルも低減される（しかし、より少ない程度である）。６および１２ｍ／秒の風雑音のレベルは、マイクロホン雑音がほとんどなく、および明らかにより高い平滑化されたカイ二乗値を有し、風雑音と適切に分類される。
【０１１０】
図２４ｃは、１０００ＨｚのＦＦＴビンの平滑化されたカイ二乗ＷＮＤ出力を示す。近距離場トーンは、この帯域通過フィルターの中心周波数にある。平滑化されたカイ二乗ＷＮＤ出力は、明らかに、音声では０．１未満であり、およびマイクロホン雑音ではゼロであり、および１ｋＨｚの近距離場トーンではゼロ付近である。風雑音レベルはこのＦＦＴビンではマイクロホン雑音レベルに近いため、１．５および３ｍ／秒の風雑音の平滑値はゼロに近い。それゆえ、カイ二乗ＷＮＤは、正しく、風雑音を、１ｋＨｚにおいてはかなりの量の風雑音を生じない風速において、検出しなかった。風雑音が、これらの風速において、１ｋＨｚにおいて大きなエネルギーを有し、そのため、１ｋＨｚのＦＦＴビンにおいてこれらの風速の風雑音を正しく検出できるため、６および１２ｍ／秒の風の平滑化されたカイ二乗値は、音声のものよりも明らかに高い。
【０１１１】
図２４ｄは、４０００ＨｚのＦＦＴビンの平滑化されたカイ二乗ＷＮＤ出力を示す。この周波数では、１２ｍ／秒の風雑音のみが大きなエネルギーを有したため、平滑化されたカイ二乗ＷＮＤ出力から風として正しく分類され得る。全ての他の刺激の平滑化された出力は０．１未満であり、これは、より低い風速および非風刺激では適切である。
【０１１２】
図２４ｅは、７０００ＨｚのＦＦＴビンの平滑化されたカイ二乗ＷＮＤ出力を示す。この周波数では、１２ｍ／秒の風雑音のみが大きなエネルギーを有するため、平滑化されたカイ二乗ＷＮＤ出力から風として正しく分類され得る。全ての他の刺激の平滑化された出力は、０．１未満である傾向を有し、これは、より低い風速および非風刺激では適切である。それゆえ、カイ二乗ＷＮＤのこの例示的なＦＦＴインプリメンテーションは、非常に高い周波数で存在する風雑音を正しく検出でき、および風雑音と風ではない音とを識別する。副帯域の時間領域のインプリメンテーションと比較すると、カイ二乗ＷＮＤのＦＦＴインプリメンテーションは、より狭い周波数帯域で動作し、かつ、より長い時間を網羅するがサンプルのブロックをＲＭＳ入力レベル推定値に変換したゆえに時間分解能が低下したデータを処理する。これらの差は、これらのインプリメンテーションに関するカイ二乗ＷＮＤ出力間に示される差を説明する。
【０１１３】
図２４ｆは、それぞれ１０００Ｈｚ、４０００Ｈｚ、および７０００ＨｚのＦＦＴビンの遠距離場の段階的なトーンスイープの平滑化されたカイ二乗ＷＮＤ出力２４６２、２４６４、２４６６を示す。平滑化された出力は、一般的にゼロであり、一般的に０．１未満のスパイクを備え、かつ急な過渡を生じるトーン周波数における階段状の変化に対応する。スパイクは、各ＦＦＴビンの中心周波数付近の周波数に対する傾向がある。これは、非風刺激を風雑音と誤って検出することに対する、カイ二乗ＷＮＤのこのＦＦＴインプリメンテーションのロバストネスを裏付ける。
【０１１４】
当業者には、広範に説明されるような本発明の趣旨または範囲から逸脱せずに、特定の実施形態に示すような本発明に多数の変形および／または修正を行ってもよいことが認識される。それゆえ、本実施形態は、あらゆる点で、説明であり、限定ではないとみなされる。
【図１】
0006285367.tif 000017
【図２】
0006285367.tif 000018
【図３】
0006285367.tif 000019
【図４】
0006285367.tif 000020
【図５】
0006285367.tif 000021
【図６】
0006285367.tif 000022
【図７】
0006285367.tif 000023
【図８】
0006285367.tif 000024
【図９】
0006285367.tif 000025
【図１０】
0006285367.tif 000026
【図１１】
0006285367.tif 000027
【図１２】
0006285367.tif 000028
【図１３】
0006285367.tif 000029
【図１４】
0006285367.tif 000030
【図１５】
0006285367.tif 000031
【図１６】
0006285367.tif 000032
【図１７】
0006285367.tif 000033
【図１８ａ】
0006285367.tif 000034
【図１８ｂ】
0006285367.tif 000035
【図１９ａ】
0006285367.tif 000036
【図１９ｂ】
0006285367.tif 000037
【図１９ｃ】
0006285367.tif 000038
【図１９ｄ】
0006285367.tif 000039
【図１９ｅ】
0006285367.tif 000040
【図２０ａ】
0006285367.tif 000041
【図２０ｂ】
0006285367.tif 000042
【図２０ｃ】
0006285367.tif 000043
【図２１ａ】
0006285367.tif 000044
【図２１ｂ】
0006285367.tif 000045
【図２１ｃ】
0006285367.tif 000046
【図２１ｄ】
0006285367.tif 000047
【図２１ｅ】
0006285367.tif 000048
【図２２ａ】
0006285367.tif 000049
【図２２ｂ】
0006285367.tif 000050
【図２２ｃ】
0006285367.tif 000051
【図２２ｄ】
0006285367.tif 000052
【図２２ｅ】
0006285367.tif 000053
【図２３ａ】
0006285367.tif 000054
【図２３ｂ】
0006285367.tif 000055
【図２３ｃ】
0006285367.tif 000056
【図２４ａ】
0006285367.tif 000057
【図２４ｂ】
0006285367.tif 000058
【図２４ｃ】
0006285367.tif 000059
【図２４ｄ】
0006285367.tif 000060
【図２４ｅ】
0006285367.tif 000061
【図２４ｆ】
0006285367.tif 000062